(57)【特許請求の範囲】
【請求項１】
第１面及び第２面を備える第１基板と、
前記第２面側に、かつ１つの層に形成される複数の第１導電層と、
前記第１導電層と異なる層であって、平面視で、複数の第１導電層と重なり合う大きさを有する第２導電層と、
前記第１導電層の少なくとも一部に電気的に接し、前記第１導電層と前記第２導電層との間に形成され、前記第２導電層の少なくとも一部と電気的に接し、前記第１導電層と前記第２導電層との間に順バイアス方向の発光駆動電圧が印加されると発光する発光層と、を含む第１発光素子部と、
前記第１導電層と絶縁されて形成され、前記第１面に平面視で重なり合う位置の近接物体に応じて変化する前記第１導電層との間の電界の変化を検出するための複数の第３導電層と、を備える入力装置。
【請求項２】
複数の前記第３導電層は、１つの層に形成され、前記第１導電層とは異なる層にある、
請求項１に記載の入力装置。
【請求項３】
前記第１導電層は、平面視で一方向に連続して延びる形状を備え、前記発光層に前記第１導電層の形状に沿って接しており、
前記第１発光素子部は、前記第１導電層の形状に沿った発光が可能である、請求項２に記載の入力装置。
【請求項４】
前記第１導電層は、平面視で一方向に延びる形状を備え、
前記第２導電層は、平面視で、複数の第１導電層と重なり合う大きさを有する第２導電層を備え、
前記第３導電層は、第１導電層とは異なる方向に延び、前記第１導電層と同層に形成され、
前記第１導電層と前記第３導電層とが交差する部分において、第１導電層と前記第３導電層とは絶縁されている、請求項１に記載の入力装置。
【請求項５】
前記第３導電層は、前記第１導電層と同層に形成され、
前記第１導電層は、絶縁層を介して前記発光層に積層され、かつ平面視で一方向に連続して延びる形状を備え、
前記第３導電層は、前記発光層に前記絶縁層を介して積層され、かつ平面視で前記第１導電層と交差する交差方向に連続して延びる形状を備え、
前記第１導電層と前記第３導電層とが交差する部分には、前記第３導電層で分断された前記第１導電層の端部同士を接続し、前記第３導電層と絶縁された状態で前記第３導電層を跨ぐ導電性の第４導電層を複数備え、
前記第４導電層は、前記発光層の一部と第１コンタクト部で電気的に接続されている、請求項１に記載の入力装置。
【請求項６】
前記第３導電層は、前記第１導電層と同層に形成され、
前記第１導電層は、絶縁層を介して前記発光層に積層され、かつ平面視で点在する島状であり、
前記第１導電層と前記第３導電層とが交差する部分には、前記第３導電層を挟む前記第１導電層の端部同士を接続し、前記第３導電層と絶縁された状態で前記第３導電層を跨ぐ導電性の第４導電層を複数備え、前記第４導電層で接続される方向が一方向に延び、
前記第３導電層は、前記発光層に前記絶縁層を介して積層され、かつ平面視で前記第４導電層で接続される方向と交差する交差方向に連続して延びる形状を備え、
前記第４導電層は、前記発光層の一部と第１コンタクト部で電気的に接続されている、請求項１に記載の入力装置。
【請求項７】
前記第１発光素子部は、前記発光層よりも前記第１面寄りに第１遮光部を備える、請求項１乃至６のいずれか１項に記載の入力装置。
【請求項８】
前記発光層は、前記第１コンタクト部の前記第２面と平行な断面の面積が、前記第２面に近づくにつれて小さくなるように凸部が形成されており、
前記第４導電層は、金属光沢を有する金属で形成され、前記凸部の側面が前記第２面に対して傾斜する傾斜面を覆う、請求項５又は６に記載の入力装置。
【請求項９】
隣合う前記第３導電層の間に延びる前記第１導電層の一部と接続し、前記発光層の一部と電気的に接続されている第２コンタクト部を備える第２発光素子部をさらに備える、請求項３乃至８のいずれか１項に記載の入力装置。
【請求項１０】
前記第１発光素子部が発光する前記第１導電層と前記第２導電層との間の順バイアス方向の印加電圧に対して逆方向である逆バイアス方向にパルスが立ち上がる駆動信号パルスが前記複数の第１導電層の一部に印加される、請求項２乃至９のいずれか１項に記載の入力装置。
【請求項１１】
前記第１導電層に電圧を供給する第１電極ドライバと、
前記第２導電層に電圧を供給する第２電極ドライバと、
前記第１基板の第１面に平面視で重なり合う位置の近接物体の座標に応じて変化する第１導電層と前記第３導電層との間の電界の変化を前記駆動信号パルスに応答する近接検出信号として処理する近接検出処理部と、をさらに備え、
前記第１電極ドライバは、前記第１導電層の一部を駆動電極として時分割で走査し、前記駆動信号パルスを走査した前記第１導電層の一部に供給する、請求項１０に記載の入力装置。
【請求項１２】
前記第１導電層に電圧を供給する第１電極ドライバと、
前記第２導電層に電圧を供給する第２電極ドライバと、
前記第１基板の第１面に平面視で重なり合う位置の近接物体の座標に応じて変化する第１導電層と前記第３導電層との間の電界の変化を前記駆動信号パルスに応答する近接検出信号として処理する近接検出処理部と、をさらに備え、
前記第２電極ドライバは、前記第１導電層と前記第２導電層との間に順バイアス方向の印加電圧を加え、前記第１発光素子部を発光させる、請求項１０又は１１に記載の入力装置。
【請求項１３】
前記第１電極ドライバは、前記逆バイアス方向にパルスが立ち上がる非点灯期間のパルス信号を前記第１導電層に印加する、請求項１２に記載の入力装置。
【請求項１４】
前記第１導電層に電圧を供給する第１電極ドライバと、
前記第２導電層に電圧を供給する第２電極ドライバと、
前記第１基板の第１面に平面視で重なり合う位置の近接物体の座標に応じて変化する前記第１導電層と前記第３導電層との間の電界の変化を前記駆動信号パルスに応答する近接検出信号として処理する近接検出処理部と、をさらに備え、
前記第１電極ドライバは、前記順バイアス方向にパルスが立ち上がる点灯パルスを印加し、前記点灯パルスに応じて前記第１発光素子部を発光させる、請求項１０に記載の入力装置。
【請求項１５】
前記第１電極ドライバは、前記駆動信号パルスの前に通知される前記駆動信号パルスの要求信号と、前記点灯パルスの前に通知される前記点灯パルスの要求信号が重なった場合は、前記第１導電層に前記駆動信号パルスを印加した後、前記点灯パルスを前記第１導電層に印加する、請求項１４に記載の入力装置。
【請求項１６】
前記第１電極ドライバは、前記駆動信号パルスと、前記点灯パルスとが重なった場合は、前記駆動信号パルスと、前記点灯パルスとが重なったタイミングで、前記点灯パルスを前後に分割した上で、分割された第１点灯パルス、前記駆動信号パルス、分割された第２点灯パルスの順に前記第１導電層へ印加する、請求項１４に記載の入力装置。
【請求項１７】
前記第１電極ドライバは、前記第１点灯パルスのパルスの立ち下げと前記駆動信号パルスのパルスの立ち上げとを連続して印加する、請求項１６に記載の入力装置。
【請求項１８】
前記第１電極ドライバは、前記駆動信号パルスの前に通知される前記駆動信号パルスの要求信号にのみ、前記点灯パルスが重なった場合は、前記点灯パルス、前記駆動信号パルスの順に前記第１導電層へ印加する、請求項１４に記載の入力装置。
【請求項１９】
第１面及び第２面を備える第１基板と、
前記第２面側に、かつ１つの層に形成される複数の第１導電層と、
前記第１導電層と異なる層であって、平面視で、複数の第１導電層と重なり合う大きさを有する第２導電層と、
前記第１導電層の少なくとも一部に電気的に接し、前記第１導電層と前記第２導電層との間に形成され、前記第２導電層の少なくとも一部と電気的に接し、前記第１導電層と前記第２導電層との間に順バイアス方向の発光駆動電圧が印加されると発光する発光層と、を含む第１発光素子部と、
前記第１導電層と絶縁されて形成され、前記第１面に平面視で重なり合う位置の近接物体に応じて変化する前記第１導電層との間の電界の変化を検出するための複数の第３導電層と、を備える入力装置と、
前記入力装置の前記第２面側に配置され、前記第１面側に画像を表示可能な表示部とを備える表示装置。
【発明の詳細な説明】
【技術分野】
【０００１】
本発明は、外部近接物体を検出可能な入力装置及び表示装置に係り、特に静電容量の変化に基づいて外部から近接する外部近接物体を検出可能な入力装置及び表示装置に関する。
【背景技術】
【０００２】
特許文献１には、いわゆるタッチパネルと呼ばれる入力装置と、フロントライトと呼ばれる、照明装置とが一体となった入力装置が記載されている。
【先行技術文献】
【特許文献】
【０００３】
【特許文献１】特開２０１０−１９８４１５号公報
【発明の概要】
【発明が解決しようとする課題】
【０００４】
上述した特許文献１に記載の入力装置は、タッチパネルとフロントライトとの境界部分に、タッチパネルとフロントライトとで共用化されるように設けられ、光を透過させることが可能な透光性基板とを備えて、薄型化しているが、近年さらなる薄型化が求められている。
【０００５】
本発明は、かかる問題点に鑑みてなされたもので、その目的は、薄型の入力装置及び表示装置を提供することにある。
【課題を解決するための手段】
【０００６】
第１の態様によれば、入力装置は、第１面及び第２面を備える第１基板と、前記第２面側に形成される導電性の第１電極部と、前記第１電極部と異なる層に形成される導電性の第２電極部と、前記第１電極部の少なくとも一部に電気的に接し、前記第１電極部と前記第２電極部との間に形成され、前記第１電極部の少なくとも一部と電気的に接する発光層と、を含む第１発光素子部と、前記第１電極部と絶縁されて形成され、前記第１面に平面視で重なり合う位置の近接物体の座標に応じて変化する前記第１電極部との間の電界の変化を検出するための第３電極部と、を備える。
【０００７】
第２の態様によれば、表示装置は、第１面及び第２面を備える第１基板と、前記第２面側に形成される導電性の第１電極部と、前記第１電極部と異なる層に形成される導電性の第２電極部と、前記第１電極部の少なくとも一部に電気的に接し、前記第１電極部と前記第２電極部との間に形成され、前記第１電極部の少なくとも一部と電気的に接する発光層と、を含む第１発光素子部と、前記第１電極部と絶縁されて形成され、前記第１面に平面視で重なり合う位置の近接物体の座標に応じて変化する前記第１電極部との間の電界の変化を検出するための第３電極部と、を備える入力装置と、前記入力装置の前記第２面側に配置され、前記第１面側に画像を表示可能な表示部とを備える。
【図面の簡単な説明】
【０００８】
【図１】図１は、実施形態１に係る表示装置の構成を説明するためのブロック図である。
【図２】図２は、静電容量型近接検出方式の基本原理を説明するため、外部近接物体が接触又は近接していない状態を表す説明図である。
【図３】図３は、図２に示す外部近接物体が接触又は近接していない状態の等価回路の例を示す説明図である。
【図４】図４は、静電容量型近接検出方式の基本原理を説明するため、外部近接物体が接触又は近接した状態を表す説明図である。
【図５】図５は、図４に示す外部近接物体が接触又は近接した状態の等価回路の例を示す説明図である。
【図６】図６は、駆動信号及び近接検出信号の波形の一例を表す図である。
【図７】図７は、実施形態１に係る入力装置の駆動電極及び近接検出電極の一例を表す斜視図である。
【図８】図８は、実施形態１における近接検出機能付き表示部の構造を模式的に示す断面図である。
【図９】図９は、実施形態１に係る入力装置の構造を模式的に示す断面図である。
【図１０】図１０は、実施形態１に係る入力装置の第１電極部、第２電極部及び第３電極部の平面視の位置関係を説明するための説明図である。
【図１１】図１１は、実施形態１の変形例１に係る入力装置の構造を模式的に示す断面図である。
【図１２】図１２は、実施形態１の変形例１に係る入力装置の第１電極部、第２電極部及び第３電極部の平面視の位置関係を説明するための説明図である。
【図１３】図１３は、実施形態１の変形例２に係る入力装置の構造を模式的に示す断面図である。
【図１４】図１４は、実施形態１の変形例２に係る入力装置の構造を模式的に示す断面図である。
【図１５】図１５は、実施形態１に係る第１駆動電極ドライバ及び第２駆動電極ドライバを説明するための説明図である。
【図１６】図１６は、第１発光素子が非点灯の状態において、駆動電極選択期間の第１電極部及び第２電極部の電圧を説明するための説明図である。
【図１７】図１７は、第１発光素子が非点灯の状態における近接検出の走査状態を説明する説明図である。
【図１８】図１８は、第１発光素子が点灯の状態において、駆動電極選択期間の第１電極部及び第２電極部の電圧を説明するための説明図である。
【図１９】図１９は、第１発光素子が点灯の状態における近接検出の走査状態を説明する説明図である。
【図２０】図２０は、第１発光素子が非点灯の状態において、駆動電極選択期間の第１電極部及び第２電極部の電圧を説明するための説明図である。
【図２１】図２１は、第１発光素子が非点灯の状態における近接検出の走査状態を説明する説明図である。
【図２２】図２２は、第１発光素子が点灯の状態において、駆動電極選択期間の第１電極部及び第２電極部の電圧を説明するための説明図である。
【図２３】図２３は、第１発光素子が点灯の状態における近接検出の走査状態を説明する説明図である。
【図２４】図２４は、実施形態２に係る入力装置の構造を模式的に示す断面図である。
【図２５】図２５は、実施形態２に係る入力装置の第１電極部、第２電極部及び第３電極部の平面視の位置関係を説明するための説明図である。
【図２６】図２６は、実施形態２の変形例１に係る入力装置の第１電極部、第２電極部及び第３電極部の平面視の位置関係を説明するための説明図である。
【図２７】図２７は、実施形態２の変形例２に係る入力装置の第１電極部及び第３電極部の平面視の位置関係を説明するための説明図である。
【図２８】図２８は、実施形態２の変形例３に係る入力装置の第１電極部及び第３電極部の平面視の位置関係を説明するための説明図である。
【図２９】図２９は、実施形態２の変形例３に係る入力装置の第１電極部及び第３電極部の平面視の他の位置関係を説明するための説明図である。
【図３０】図３０は、実施形態２の変形例４に係る入力装置において、第１コンタクト部の照射光を説明するための拡大断面図である。
【図３１】図３１は、実施形態１に係る入力装置の照射光を説明するための拡大断面図である。
【図３２】図３２は、実施形態２の変形例５に係る入力装置の第１電極部、第２電極部及び第３電極部の平面視の位置関係を説明するための説明図である。
【図３３】図３３は、実施形態２の変形例５に係る入力装置の第１電極部、第２電極部及び第３電極部の平面視の他の位置関係を説明するための説明図である。
【図３４】図３４は、実施形態３に係る入力装置の構造を模式的に示す断面図である。
【図３５】図３５は、実施形態３に係る入力装置の第１電極部、第２電極部及び第３電極部の平面視の位置関係を説明するための説明図である。
【図３６】図３６は、実施形態３の変形例１に係る入力装置の構造を模式的に示す断面図である。
【図３７】図３７は、実施形態３の変形例１に係る入力装置の第１電極部、第２電極部及び第３電極部の平面視の位置関係を説明するための説明図である。
【図３８】図３８は、実施形態３の変形例２に係る入力装置の構造を模式的に示す断面図である。
【図３９】図３９は、実施形態３の変形例２に係る入力装置の第１電極部、第２電極部及び第３電極部の平面視の位置関係を説明するための説明図である。
【図４０】図４０は、実施形態４に係る第１駆動電極ドライバ及び第２駆動電極ドライバを説明するための説明図である。
【図４１】図４１は、第１発光素子が非点灯の状態において、駆動電極選択期間の第１電極部及び第２電極部の電圧を説明するための説明図である。
【図４２】図４２は、第１発光素子が点灯の状態において、駆動電極選択期間の第１電極部及び第２電極部の電圧を説明するための説明図である。
【図４３】図４３は、第１発光素子が非点灯の状態において、駆動電極選択期間の第１電極部及び第２電極部の電圧を説明するための説明図である。
【図４４】図４４は、第１発光素子が点灯の状態において、駆動電極選択期間の第１電極部及び第２電極部の電圧を説明するための説明図である。
【図４５】図４５は、実施形態４の変形例１に係る第１駆動電極ドライバ及び第２駆動電極ドライバを説明するための説明図である。
【図４６】図４６は、実施形態４の変形例１に係る駆動制御のタイミングチャートである。
【図４７】図４７は、第１発光素子が非点灯の状態において、１パルスの駆動信号で駆動する駆動制御のタイミングチャートである。
【図４８】図４８は、第１発光素子が点灯の状態において、点灯駆動する点灯期間と１パルスの駆動信号とが重ならない場合の駆動制御のタイミングチャートである。
【図４９】図４９は、第１発光素子が点灯の状態において、点灯駆動する点灯期間と１パルスの駆動信号とが重なり、駆動信号の走査が点灯期間を追い越す場合の駆動制御のタイミングチャートである。
【図５０】図５０は、実施形態４の変形例２に係る駆動制御のタイミングチャートである。
【図５１】図５１は、第１発光素子が非点灯の状態において、複数のパルスの駆動信号で駆動する駆動制御のタイミングチャートである。
【図５２】図５２は、第１発光素子が点灯の状態において、点灯駆動する点灯期間と複数のパルスの駆動信号とが重ならない場合の駆動制御のタイミングチャートである。
【図５３】図５３は、第１発光素子が点灯の状態において、点灯駆動する点灯期間と複数のパルスの駆動信号とが重なる場合の駆動制御のタイミングチャートである。
【図５４】図５４は、実施形態４の変形例３に係る駆動制御のタイミングチャートである。
【図５５】図５５は、第１発光素子が非点灯の状態において、複数のパルスの駆動信号で駆動する駆動制御のタイミングチャートである。
【図５６】図５６は、第１発光素子が点灯の状態において、点灯駆動する点灯期間と複数のパルスの駆動信号とが重ならない場合の駆動制御のタイミングチャートである。
【図５７】図５７は、第１発光素子が点灯の状態において、点灯駆動する点灯期間と複数のパルスの駆動信号とが重なる場合の駆動制御のタイミングチャートである。
【発明を実施するための形態】
【０００９】
以下、発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
図１は、実施形態１に係る表示装置の構成を説明するためのブロック図である。表示システム１００は、近接検出機能付き表示装置１と、制御部１１と、ゲートドライバ１２と、ソースドライバ１３と、ソースセレクタ部１３Ｓと、第１電極ドライバ１４と、第２電極ドライバ１５と、近接検出処理部４０とを備えている。近接検出機能付き表示装置１において、後述するように、反射型の表示部９と、入力装置２とが平面視で重ねあわされている。表示部９が反射型液晶表示部であり、入力装置が静電容量型のタッチパネルである。
【００１１】
表示部９は、後述するように、ゲートドライバ１２から供給される走査信号Ｖｓｃａｎに従って、１水平ラインずつ順次走査して表示を行う装置である。制御部１１は、外部より供給された映像信号Ｖｄｉｓｐに基づいて、ゲートドライバ１２、ソースドライバ１３、第１電極ドライバ１４、及び近接検出処理部４０に対してそれぞれ制御信号を供給し、これらが互いに同期して動作するように制御する回路である。本発明における制御装置は、制御部１１、ゲートドライバ１２、ソースドライバ１３、第１電極ドライバ１４、第２電極ドライバ１５、近接検出処理部４０を含む。
【００１２】
ゲートドライバ１２は、制御部１１から供給される制御信号に基づいて、表示部９の表示駆動の対象となる１水平ラインを順次選択する機能を有している。
【００１３】
ソースドライバ１３は、制御部１１から供給される制御信号に基づいて、表示部９の、表示面にマトリクス状に配置された各画素（各副画素）に画素信号Ｖｐｉｘを供給する回路である。ソースドライバ１３は、１水平ライン分の制御信号から、表示部９の複数の副画素の画素信号Ｖｐｉｘを時分割多重化した画像信号Ｖｓｉｇを生成し、ソースセレクタ部１３Ｓに供給する。また、ソースドライバ１３は、画像信号Ｖｓｉｇに多重化された画素信号Ｖｐｉｘを分離するために必要なスイッチ制御信号Ｖｓｅｌを生成し、画像信号Ｖｓｉｇとともにソースセレクタ部１３Ｓに供給する。ソースセレクタ部１３Ｓは、ソースドライバ１３とソースセレクタ部１３Ｓとの間の配線数を少なくすることができる。
【００１４】
第１電極ドライバ１４は、制御部１１から供給される制御信号に基づいて、入力装置２の、後述する第１電極部に駆動信号に基づく駆動信号パルスを供給する回路である。
【００１５】
第２電極ドライバ１５は、制御部１１から供給される制御信号に基づいて、入力装置２の、後述する第２電極部に駆動信号Ｖｅｌを供給する回路である。
【００１６】
近接検出処理部４０は、制御部１１から供給される制御信号と、入力装置２から供給された近接検出信号Ｖｄｅｔに基づいて、入力装置２に対する近接状態の有無を検出し、近接状態がある場合において近接検出領域におけるその座標等を求める回路である。この近接検出処理部４０は近接検出信号増幅部４２と、Ａ／Ｄ変換部４３と、信号処理部４４と、座標抽出部４５と、検出タイミング制御部４６とを備えている。
【００１７】
近接検出信号増幅部４２は、入力装置２から供給される近接検出信号Ｖｄｅｔを増幅する。近接検出信号増幅部４２は、近接検出信号Ｖｄｅｔに含まれる高い周波数成分（ノイズ成分）を除去し、近接検出信号の成分を取り出してそれぞれ出力する低域通過アナログフィルタを備えていてもよい。
【００１８】
（静電容量型近接検出の基本原理）
入力装置２は、静電容量型近接検出の基本原理に基づいて動作し、近接検出信号Ｖｄｅｔを出力する。図１〜図６を参照して、入力装置２における近接検出の基本原理について説明する。図２は、静電容量型近接検出方式の基本原理を説明するため、外部近接物体が接触又は近接していない状態を表す説明図である。図３は、図２に示す外部近接物体が接触又は近接していない状態の等価回路の例を示す説明図である。図４は、静電容量型近接検出方式の基本原理を説明するため、外部近接物体が接触又は近接した状態を表す説明図である。図５は、図４に示す外部近接物体が接触又は近接した状態の等価回路の例を示す説明図である。図６は、駆動信号及び近接検出信号の波形の一例を表す図である。
【００１９】
例えば、図２に示すように、容量素子Ｃ１は、誘電体Ｄを挟んで互いに対向配置された一対の電極、駆動電極Ｅ１及び近接検出電極Ｅ２を備えている。図３に示すように、容量素子Ｃ１は、その一端が交流信号源（駆動信号源）Ｓに接続され、他端は電圧検出器（近接検出部）ＤＥＴに接続される。電圧検出器ＤＥＴは、例えば図１に示す近接検出信号増幅部４２に含まれる積分回路である。
【００２０】
交流信号源Ｓから駆動電極Ｅ１（容量素子Ｃ１の一端）に所定の周波数（例えば数ｋＨｚ〜数百ｋＨｚ程度）の交流矩形波である駆動信号パルスＳｇを印加すると、近接検出電極Ｅ２（容量素子Ｃ１の他端）側に接続された電圧検出器ＤＥＴを介して、出力波形（近接検出信号Ｖｄｅｔ）が現れる。
【００２１】
外部近接物体（例えば、指又はスタイラスペン）が近接（又は接触）していない非近接状態（非接触状態を含む）では、図２及び図３に示すように、容量素子Ｃ１に対する充放電に伴って、容量素子Ｃ１の容量値に応じた電流Ｉ０が流れる。図６に示すように、電圧検出器ＤＥＴは、駆動信号パルスＳｇに応じた電流Ｉ０の変動を電圧の変動（実線の波形Ｖ０）に変換する。
【００２２】
一方、外部近接物体が近接（又は接触）した近接状態（接触状態を含む）では、図４に示すように、外部近接物体によって形成される静電容量Ｃ２が近接検出電極Ｅ２と接している又は近傍にあることにより、駆動電極Ｅ１及び近接検出電極Ｅ２の間にあるフリンジ分の静電容量が遮られ、容量素子Ｃ１の容量値よりも容量値の小さい容量素子Ｃ１’として作用する。そして、図５に示す等価回路でみると、容量素子Ｃ１’に電流Ｉ１が流れる。図６に示すように、電圧検出器ＤＥＴは、駆動信号パルスＳｇに応じた電流Ｉ１の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、外部近接物体等の外部からの近接する物体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、駆動信号パルスＳｇの周波数に合わせて、コンデンサの充放電をリセットする期間Ｒｅｓｅｔを設けた動作とすることがより好ましい。
【００２３】
図１に示す入力装置２は、第１電極ドライバ１４から供給される駆動信号に従って、１検出ブロックずつ順次走査して近接検出を行うようになっている。
【００２４】
入力装置２は、複数の後述する近接検出電極から、図３又は図５に示す電圧検出器ＤＥＴを介して、検出ブロック毎に近接検出信号Ｖｄｅｔを出力し、近接検出処理部４０の近接信号増幅部４２に供給するようになっている。近接信号増幅部４２は、近接検出信号Ｖｄｅｔを増幅した上で、近接検出信号ＶｄｅｔをＡ／Ｄ変換部４３へ供給する。
【００２５】
Ａ／Ｄ変換部４３は、駆動信号に同期したタイミングで、近接検出信号増幅部４２から出力されるアナログ信号をそれぞれサンプリングしてデジタル信号に変換する回路である。
【００２６】
信号処理部４４は、Ａ／Ｄ変換部４３の出力信号に含まれる、駆動信号をサンプリングした周波数以外の周波数成分（ノイズ成分）を低減するデジタルフィルタを備えている。信号処理部４４は、Ａ／Ｄ変換部４３の出力信号に基づいて、入力装置２に対するタッチの有無を検出する論理回路である。信号処理部４４は、外部近接物体による電圧の差分のみ取り出す処理を行う。この外部近接物体による電圧の差分の信号は、上述した波形Ｖ０と波形Ｖ１との差分の絶対値｜ΔＶ｜である。信号処理部４４は、１検出ブロック当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した外部近接物体による電圧の差分の信号を所定のしきい値電圧と比較し、電圧の差分がこのしきい値電圧以上であれば、外部近接物体の近接状態であると判断する。一方、信号処理部４４は、検出したデジタル電圧を所定のしきい値電圧と比較し、電圧の差分がしきい値電圧未満であれば、外部近接物体の非近接状態であると判断する。このようにして、近接検出処理部４０は近接検出が可能となる。
【００２７】
座標抽出部４５は、信号処理部４４において近接状態が検出されたときに、検出領域の面内における近接状態が生じた座標位置を求める論理回路である。検出タイミング制御部４６は、Ａ／Ｄ変換部４３と、信号処理部４４と、座標抽出部４５とが同期して動作するように制御する。座標抽出部４５は、近接物体の座標を出力信号Ｖｏｕｔとして出力する。
【００２８】
図７は、実施形態１に係る入力装置の駆動電極及び近接検出電極の一例を表す斜視図である。入力装置２は、第１電極部３１と、第１電極部３１と絶縁された状態の第３電極部３３とを備える。第１電極部３１は、駆動信号パルスＳｇを印加する送信側の駆動電極Ｔｘ１、Ｔｘ２、Ｔｘ３…Ｔｘｎ（以下、駆動電極Ｔｘということもある。）として、導電体パターンの所定の延在方向に延びるストライプ状の複数の電極パターンを有している。第３電極部３３は、近接検出信号Ｖｄｅｔを出力する近接検出電極Ｒｘ１、Ｒｘ２、Ｒｘ３…Ｒｘｍ（以下、近接検出電極Ｒｘということもある。）として、第１電極部３１の延在方向と交差する方向に延びるストライプ状の複数の電極パターンを有している。近接検出電極Ｒｘの各電極パターンは、近接検出処理部４０の近接検出信号増幅部４２の入力にそれぞれ接続されている。
【００２９】
図７に示すように実施形態１に係る入力装置２において、近接検出電極Ｒｘは、駆動電極Ｔｘと対向している。近接検出電極Ｒｘは、駆動電極Ｔｘと対向せず、駆動電極Ｔｘと同層に形成されていてもよい。また、近接検出電極Ｒｘ又は駆動電極Ｔｘは、ストライプ状に複数に分割される形状に限られない。例えば、近接検出電極Ｒｘ又は駆動電極Ｔｘは、櫛歯形状であってもよい。あるいは近接検出電極Ｒｘ又は第１電極部３１（駆動電極ブロック）は、複数に分割されていればよく、第１電極部３１を分割するスリットの形状は直線であっても、曲線であってもよい。
【００３０】
また、図２に示す駆動電極Ｅ１は、図７に示す駆動電極Ｔｘのそれぞれに相当し、図２に示す近接検出電極Ｅ２は、近接検出電極Ｒｘのそれぞれに相当する。このため、図７に示す駆動電極Ｔｘと近接検出電極Ｒｘとが平面視で互いに交差した交差部分には、図２に示す容量素子Ｃ１の容量値に相当する静電容量が生じる。
【００３１】
次に、近接検出機能付き表示装置１の構造について説明する。実施形態１において、表示部９は、反射型の画像表示パネルである。表示部９は、半透過型の画像表示パネルであってもよく、観察者２００側から入射する入射光を反射して、画像を表示する表示装置であればよい。図８は、実施形態１における近接検出機能付き表示部の構造を模式的に示す断面図である。図８に示すように、表示部９は、互いに対向するアレイ基板９１と対向基板９２とを有している。アレイ基板９１と対向基板９２との間において、液晶素子が封入された液晶層９３が設けられている。
【００３２】
アレイ基板９１は、例えばガラス等の透明性を有する透光性基板である。アレイ基板９１は、液晶層９３側の絶縁層９８の面に、複数の画素電極９４を有する。画素電極９４は、スイッチング素子９９を介して信号線に接続されている。画素電極９４には、上述した画素信号Ｖｐｉｘが印加される。画素電極９４は、例えばアルミニウム又は銀のような金属光沢を有する材料で形成され、光の反射性を有する。このため、画素電極９４は、外光又は入力装置２からの光を反射する。
【００３３】
対向基板９２は、例えばガラス等の透明性を有する透光性基板である。対向基板９２は、液晶層９３側の面に、対向電極９５及びカラーフィルタ９６を有する。より詳しくは、対向電極９５は、カラーフィルタ９６の液晶層９３側の面に設けられている。
【００３４】
対向電極９５は、例えばＩＴＯ（Indium  Tin  Oxide）、又はＩＺＯ（Indium  Zinc  Oxide）等の透明性を有する透光性導電性材料で形成されている。対向電極９５には、画素毎に共通の共通電位が与えられている。画素電極９４と対向電極９５とは対向して設けられているため、画素電極９４と対向電極９５との間に画像出力信号による電圧が印加されると、画素電極９４と対向電極９５とは、液晶層９３内に電界を生じさせる。液晶層９３内に生じた電界により液晶素子がツイストして複屈折率が変化し、表示部９からの光量が副画素９７毎に調整される。表示部９は、いわゆる縦電界方式であるが、表示面に平行な方向に電界を発生させる横電界方式であってもよい。
【００３５】
第１の色（例えば赤色Ｒ）、第２の色（例えば緑色Ｇ）及び第３の色（例えば青色Ｂ）のいずれかのカラーフィルタ９６は、画素電極９４に対応して副画素９７毎に設けられる。このように、画素電極９４と、対向電極９５と、各色のカラーフィルタ９６とは、それぞれ副画素９７を構成する。
【００３６】
入力装置２は、表示部９側のＬＦ１方向に向かって光を照射することができる。対向基板９２の液晶層９３と反対側の面には、入力装置２が設けられている。表示部９は、入力装置２を後述するようにフロントライトとして、ＬＦ１方向に入射された光をＬＦ２方向に反射して、画像を表示させる。例えば、画素電極９４が観察者２００側の面（画像を表示する側の面）からＬＦ１方向に入射された光をＬＦ２方向に反射する。また、入力装置２と対向基板９２とは、光学接着層８で接合されている。光学接着層８は、光の散乱機能のある材料を選ぶことが望ましい。光学接着層８において、入力装置２からＬＦ１方向側に照射された光が散乱する。これにより、画素電極９４には、入力装置２からの光が均一に照射されやすくなる。また、光学接着層８の位置には、さらに偏光板を形成することもできる。
【００３７】
図９は、実施形態１に係る入力装置の構造を模式的に示す断面図である。図１０は、実施形態１に係る入力装置の第１電極部、第２電極部及び第３電極部の平面視の位置関係を説明するための説明図である。図９及び図１０に示すように、入力装置２は、第１基板２１と、第１電極部３１と、第２電極部３２と、発光層２２と、第３電極部３３とを有する。第２電極部３２は、絶縁性の保護層２３で覆われている。絶縁性の保護層２３は、形成しなくてもよい。第１基板２１は、第１面２０１及び第２面２０２を備える、ガラス等の透光性基板である。入力装置２において、図９の第１面２０１が図８に示す観察者２００側となり、第２面２０２が表示部９側になる。
【００３８】
第１電極部３１は、第１基板２１の第２面２０２側の１つの層に形成される導電性の第１導電層である。複数の第１導電層は、平面視で一方向に連続して延びる形状を備え、発光層２２に第１導電層の形状に沿って接している。第１電極部３１の第１導電層は、例えばＩＴＯ、又はＩＺＯ等の透明性を有する透光性導電性材料又は導電性の金属材料で形成されている。第１電極部３１の第１導電層の材料としては、金属光沢を有する金属材料、例えばアルミニウム（Ａｌ）、銀（Ａｇ）、クロム（Ｃｒ）、及び、それらを含む合金等で形成されていると、発光層２２の発光を反射できる。
【００３９】
発光層２２は、平面視で、複数の上記第１導電層と重なり合う大きさを有している。発光層２２は、図９に示すように、第１電極部３１と第２電極部３２との間に形成されている。このため、発光層２２は、第１電極部３１の第１導電層に電気的に接している。発光層２２は、有機発光層であって、有機材料を含み、不図示のホール注入層、ホール輸送層、有機層、電子輸送層、電子注入層を含む。
【００４０】
第２電極部３２は、第１電極部３１と異なる層に形成される導電性の第２導電層である。第２導電層は、平面視で、複数の上記第１導電層と重なり合う大きさを有しているベタ膜である。第２電極部３２の第２導電層は、発光層２２の全面と電気的に接している。第２電極部３２の導電層は、例えばＩＴＯ、又はＩＺＯ等の透明性を有する透光性導電性材料で形成されている。
【００４１】
第１発光素子部ＤＥＬは、第１電極部３１と、発光層２２と、第２電極部３２とを有している。第１電極部３１と第２電極部３２とに順バイアス方向の電圧が印加されることで発光層２２が発光する。第１発光素子部ＤＥＬには、電圧が印加されると、発光層２２が第１電極部３１の第１導電層の形状に沿った発光をする。これにより、平面視で一方向に連続して延びる発光帯が生じ、入力装置２は、図８に示す表示部９に対して、光を照射することのできるフロントライトとして、機能する。
【００４２】
第３電極部３３は、第１基板２１の第１面２０１側に形成され、第１電極部３１の第１導電層と絶縁されている。第３電極部３３が形成される第１面２０１は、近接物体の入力座標の基準となる基準平面（座標入力基準面）である。
【００４３】
上述したように、第１電極部３１は、駆動信号パルスＳｇを印加する送信側の駆動電極Ｔｘであり、第３電極部３３は、上述した近接検出電極Ｒｘである（図７参照）。このため、入力装置２が近接検出動作を行う際、第３電極部３３は、第１基板２１の第１面２０１に平面視で重なり合う位置の近接物体の座標に応じて変化する第１電極部３１との間の電界の変化を近接検出処理部４０（図１参照）へ出力できる。
【００４４】
まず、入力装置２の製造方法としては、第１基板２１が用意され、第１基板２１の第２面２０２には、第１電極部３１の第１導電層がパターニングされる。次に、入力装置２は、第１電極部３１の第１導電層に、発光層２２が形成される。発光層２２を形成する前に、第１電極部３１間の隙間は、平坦化する絶縁層で埋められていることが好ましい。次に、入力装置２は、発光層２２に、第２電極部３２の第２導電層が形成される。次に、入力装置２は、アルミナ（Ａｌ２Ｏ３）等の透光性の絶縁体で保護層２３が形成される。次に、入力装置２は、第１基板２１の第１面２０１に第３電極部３３が形成される。以上説明したように、実施形態１に係る入力装置２は、エッチング処理の工数が少なく、製造コストが低減できる。
【００４５】
（実施形態１の変形例１）
次に、実施形態１の変形例１に係る入力装置２について説明する。図１１は、実施形態１の変形例１に係る入力装置の構造を模式的に示す断面図である。図１２は、実施形態１の変形例１に係る入力装置の第１電極部、第２電極部及び第３電極部の平面視の位置関係を説明するための説明図である。なお、上述した実施形態１で説明したものと同じ構成要素には同一の符号を付して重複する説明は省略する。
【００４６】
図１１及び図１２に示すように、入力装置２は、第１基板２１と、第１電極部３１と、第２電極部３２と、発光層２２と、第３電極部３３と、第１遮光部２４とを有する。第２電極部３２は、絶縁性の保護層２３で覆われている。絶縁性の保護層２３は、形成しなくてもよい。
【００４７】
第１遮光部２４は、第１基板２１と、第１電極部３１との間に配置されている。第１遮光部２４は、第１電極部３１の第１導電層の形状に沿って形成される。第１遮光部２４は、第１電極部３１の第１導電層よりも面積が大きい。第１遮光部２４は、第１基板２１の第１面２０１に垂直な方向でみると、第１電極部３１の第１導電層の全体を覆うことができる。
【００４８】
第１遮光部２４は、遮光性を有していれば、材料は問わない。第１遮光部２４の材料としては、金属光沢を有する金属材料、例えばアルミニウム（Ａｌ）、銀（Ａｇ）、クロム（Ｃｒ）、及び、それらを含む合金等が発光層２２の発光を反射できるため、好ましい。これにより、第１発光素子部ＤＥＬは、発光層２２よりも第１基板２１の第１面２０１寄りに第１遮光部２４を備えることで、第１基板２１の第１面２０１側に光漏れすることを抑制することができる。
【００４９】
（実施形態１の変形例２）
次に、実施形態１の変形例２に係る入力装置２について説明する。図１３は、実施形態１の変形例２に係る入力装置の構造を模式的に示す断面図である。図１３に示す実施形態１の変形例２に係る入力装置において、第１電極部、第２電極部及び第３電極部の平面視の位置関係は、図１２の平面視の位置関係と同じである。なお、上述した実施形態１及び実施形態１の変形例１で説明したものと同じ構成要素には同一の符号を付して重複する説明は省略する。
【００５０】
実施形態１の変形例２に係る入力装置２は、第１基板２１と、絶縁層２５と、第１電極部３１と、第２電極部３２と、発光層２２と、第３電極部３３と、第１遮光部２４とを有する。実施形態１の変形例２に係る第３電極部３３は、第１基板２１の第２面２０２側に形成され、第１電極部３１の第１導電層と絶縁層２５を介して絶縁されている。第３電極部３３が形成される第２面２０２の反対側の第１基板２１の第１面２０１は、近接物体の入力座標の基準となる基準平面（座標入力基準面）である。
【００５１】
上述したように、第１電極部３１は、駆動信号パルスＳｇを印加する送信側の駆動電極Ｔｘであり、第３電極部３３は、上述した近接検出電極Ｒｘである（図７参照）。このため、入力装置２が近接検出動作を行う際、第３電極部３３は、第１基板２１の第１面２０１に平面視で重なり合う位置の近接物体の座標に応じて変化する第１電極部３１との間の電界の変化を近接検出処理部４０（図１参照）へ出力できる。
【００５２】
まず、入力装置２の製造方法としては、第１基板２１が用意され、第１基板２１の第２面２０２には、第３電極部３３の第３導電層がパターニングされる。次に、入力装置２は、第３電極部３３の第３導電層を絶縁性の絶縁層２５で覆う。次に、絶縁層２５の表面には、第１電極部３１の第１導電層がパターニングされる。次に、入力装置２は、第１電極部３１の第１導電層に、発光層２２が形成される。発光層２２を形成する前に、第１電極部３１間の隙間は、平坦化する絶縁層で埋められていることが好ましい。次に、入力装置２は、発光層２２に、第２電極部３２の第２導電層が形成される。次に、入力装置２は、アルミナ（Ａｌ２Ｏ３）等の透光性の絶縁体で保護層２３が形成される。以上説明したように、実施形態１の変形例２に係る入力装置２は、エッチング処理の工数が少なく、製造コストが低減できる。
【００５３】
（実施形態１の変形例３）
次に、実施形態１の変形例３に係る入力装置２について説明する。図１４は、実施形態１の変形例３に係る入力装置の構造を模式的に示す断面図である。図１４に示す実施形態１の変形例３に係る入力装置において、第１電極部、第２電極部及び第３電極部の平面視の位置関係は、図１２の平面視の位置関係と同じである。なお、上述した実施形態１及び実施形態１の変形例１で説明したものと同じ構成要素には同一の符号を付して重複する説明は省略する。
【００５４】
入力装置２は、カバー基板２６と、絶縁層２５と、第１基板２１と、第１電極部３１と、第２電極部３２と、発光層２２と、第３電極部３３と、第１遮光部２４とを有する。カバー基板２６は、ガラス等の透光性基板である。実施形態１の変形例３に係る第３電極部３３は、カバー基板２６の第１基板２１に対向する面に形成され、第１基板２１の第１面２０１側にある。カバー基板２６と、第１基板２１とは絶縁層２５を介して積層され、かつ絶縁されている。実施形態１の変形例３において、第１基板２１の第１面２０１は、近接物体の入力座標の基準となる基準平面（座標入力基準面）である。第３電極部３３のあるカバー基板２６の面と反対側の面は、第１基板２１の第１面２０１と略平行な面となる。
【００５５】
上述したように、第１電極部３１は、駆動信号パルスＳｇを印加する送信側の駆動電極Ｔｘであり、第３電極部３３は、上述した近接検出電極Ｒｘである（図７参照）。このため、入力装置２が近接検出動作を行う際、第３電極部３３は、第１基板２１の第１面２０１に平面視で重なり合う位置の近接物体の座標に応じて変化する第１電極部３１との間の電界の変化を近接検出処理部４０（図１参照）へ出力できる。
【００５６】
まず、入力装置２の製造方法としては、第１基板２１が用意され、第１基板２１の第２面２０２には、第１電極部３１の第１導電層がパターニングされる。次に、入力装置２は、第１電極部３１の第１導電層に、発光層２２が形成される。発光層２２を形成する前に、第１電極部３１間の隙間は、平坦化する絶縁層で埋められていることが好ましい。次に、入力装置２は、発光層２２に、第２電極部３２の第２導電層が形成される。次に、入力装置２は、アルミナ（Ａｌ２Ｏ３）等の透光性の絶縁体で保護層２３が形成される。次に、入力装置２は、カバー基板２６の一方の面に第３電極部３３が形成される。そして、入力装置２は、絶縁層２５を介して、第１基板２１の第１面２０１が第３電極部３３が形成される側のカバー基板２６の面と対向するように固定される。絶縁層２５は、例えば絶縁性の両面テープである。以上説明したように、実施形態１の変形例３に係る入力装置２は、エッチング処理の工数が少なく、製造コストが低減できる。
【００５７】
以上説明したように、実施形態１及び実施形態１の各変形例に係る第１電極部３１は、第１発光素子部ＤＥＬの電極として機能するとともに、入力装置２の駆動電極Ｔｘとしても機能する。このため、入力装置２は、薄型となる。
【００５８】
（駆動制御）
図１、図７、図１５から図２３を用いて、実施形態１及び実施形態の変形例１から変形例３に係る入力装置２の駆動制御について説明する。入力装置２は、近接検出動作を行う際、図１に示す第１電極ドライバ１４が、図７に示す駆動電極Ｔｘを時分割的に線順次走査するように駆動する。これにより、スキャン方向Ｓｃａｎに第１電極部３１の駆動電極Ｔｘは、順次選択される。そして、入力装置２は、近接検出電極Ｒｘから近接検出信号Ｖｄｅｔを出力する。なお、入力装置２は、第１電極ドライバ１４が、図７に示す駆動電極Ｔｘを複数まとめて１検出ブロックとして時分割的に線順次走査するように駆動してもよい。
【００５９】
ここで、第１電極部３１は、第１発光素子部ＤＥＬの電極として機能するとともに、入力装置２の駆動電極Ｔｘとしても機能するので、第１発光素子部ＤＥＬが発光する必要がない場合でも、第１電極部３１の駆動電極Ｔｘに駆動信号パルスＳｇが印加されることで、第１発光素子部ＤＥＬが発光してしまう可能性がある。そこで、実施形態１及び実施形態１の各変形例に係る入力装置２は、第１電極部３１の駆動電極Ｔｘに駆動信号パルスＳｇが印加されても、意図しない第１発光素子部ＤＥＬの発光を抑制する駆動方法を提供する。
【００６０】
図１５は、実施形態１に係る第１駆動電極ドライバ及び第２駆動電極ドライバを説明するための説明図である。第１電極ドライバ１４は、第１電極制御部１４１と、Ｔｘバッファー１６とを備える。第１電極制御部１４１は、制御部１１から供給される制御信号に基づいて、駆動信号Ｖｔｘを生成し、Ｔｘバッファー１６へ供給する。Ｔｘバッファー１６は、駆動信号Ｖｔｘに基づいて、駆動信号パルスＳｇに増幅された駆動信号パルスＳｇをスキャン方向Ｓｃａｎに順次選択された駆動電極Ｔｘｎ（第１電極部３１の一部）に供給する。
【００６１】
第２電極ドライバ１５は、第２電極制御部１５１と、電圧制御回路１７とを備える。第２電極制御部１５１は、一定の電圧の電力を、電圧制御回路１７へ供給する。電圧制御回路１７は、制御部１１から供給される制御信号に基づいて、入力装置２の第２電極部３２へ供給する電圧を制御する。
【００６２】
図１６は、第１発光素子が非点灯の状態において、駆動電極選択期間の第１電極部及び第２電極部の電圧を説明するための説明図である。図１７は、第１発光素子が非点灯の状態における近接検出の走査状態を説明する説明図である。図１８は、第１発光素子が点灯の状態において、駆動電極選択期間の第１電極部及び第２電極部の電圧を説明するための説明図である。図１９は、第１発光素子が点灯の状態における近接検出の走査状態を説明する説明図である。図１６から図１９において、第１電極部３１は、第１発光素子部ＤＥＬのカソードであり、第２電極部３２は、第１発光素子部ＤＥＬのアノードである。
【００６３】
電圧制御回路１７は、第１発光素子部ＤＥＬが非点灯の状態とするために、第１電極部３１の電圧Ｖｋに対して第２電極部３２の電圧Ｖａを近づけるようにして、第１電極部３１の電圧Ｖｋと第２電極部３２の電圧Ｖａとの電圧が順方向の発光駆動電圧に達しないようにしている。この状態で、図１６に示すように、第１電極ドライバ１４は、第１電極部３１と第２電極部３２との間に、パルスの立ち上がり方向が逆バイアス方向の駆動信号パルスＳｇを印加する。これにより、駆動選択期間Ｈｔｘに、駆動信号パルスＳｇが印加されても、逆バイアス方向の電圧差が第１電極部３１と第２電極部３２との間にかかるだけなので、第１発光素子部ＤＥＬの発光が抑制される。
【００６４】
図１７に示すように、第１電極ドライバ１４が、駆動電極Ｔｘ１から駆動電極Ｔｘ４を時分割的に線順次走査するように駆動すると、駆動電極Ｔｘ１から駆動電極Ｔｘ４に印加されるいずれの駆動信号パルスＳｇによっても第１発光素子部ＤＥＬの発光が抑制される。
【００６５】
電圧制御回路１７は、第１発光素子部ＤＥＬが点灯の状態の場合、第１電極部３１の電圧Ｖｋに対して第２電極部３２の電圧Ｖａの差を順バイアス方向の発光駆動電圧ΔＶＦＬに近づけるように制御して、図１８に示すように、第１電極部３１と第２電極部３２との間に発光駆動電圧ΔＶＦＬ以上の順バイアス方向の電圧を印加する。このとき、第１電極ドライバ１４は、第１電極部３１と第２電極部３２との間に、パルスの立ち上がり方向が逆バイアス方向の駆動信号パルスＳｇを印加する。その結果、駆動信号パルスＳｇが印加された駆動選択期間Ｈｔｘを除いて、第１発光素子部ＤＥＬには発光駆動電圧ΔＶＦＬが印加される。これにより、図１９に示すように、発光駆動電圧ΔＶＦＬが印加されている点灯期間Ｈｆｌでは、第１発光素子部ＤＥＬは、発光する。
【００６６】
また、第１電極ドライバ１４が、駆動電極Ｔｘ１から駆動電極Ｔｘ４を時分割的に順次走査するように駆動すると、第１電極部３１と第２電極部３２との間の電圧が駆動選択期間Ｈｔｘにおいて発光駆動電圧ΔＶＦＬ以下となる。このため、駆動電極Ｔｘ１から駆動電極Ｔｘ４に印加されるいずれの駆動信号パルスＳｇによっても第１発光素子部ＤＥＬの発光が一時的に抑制される。また、第１発光素子部ＤＥＬの発光が抑制される駆動選択期間Ｈｔｘは、一時的であるため、第１発光素子部ＤＥＬの発光の消灯又は減光が認識されにくい。その結果、第１発光素子部ＤＥＬの点灯量が制御部１１の指令に基づき電圧制御回路１７が制御した第２電極部３２の電圧Ｖａに応じて変化する。
【００６７】
第１電極部３１は、第１発光素子部ＤＥＬのアノードであり、第２電極部３２は、第１発光素子部ＤＥＬのカソードであってもよい。図２０は、第１発光素子が非点灯の状態において、駆動電極選択期間の第１電極部及び第２電極部の電圧を説明するための説明図である。図２１は、第１発光素子が非点灯の状態における近接検出の走査状態を説明する説明図である。図２２は、第１発光素子が点灯の状態において、駆動電極選択期間の第１電極部及び第２電極部の電圧を説明するための説明図である。図２３は、第１発光素子が点灯の状態における近接検出の走査状態を説明する説明図である。図２０から図２３において、第１電極部３１は、第１発光素子部ＤＥＬのアノードであり、第２電極部３２は、第１発光素子部ＤＥＬのカソードである。
【００６８】
電圧制御回路１７は、第１発光素子部ＤＥＬが非点灯の状態の場合、第１電極部３１の電圧Ｖａに対して第２電極部３２の電圧Ｖｋを近づけるようにして、第１電極部３１の電圧Ｖａと第２電極部３２の電圧Ｖｋとの電圧が順方向の発光駆動電圧に達しないようにしている。この状態で、図２０に示すように、第１電極ドライバ１４は、第１電極部３１と第２電極部３２との間に、パルスの立ち上がり方向が逆バイアス方向の駆動信号パルスＳｇを印加する。図２０に示す第１電極部３１及び第２電極部３２は、図１６に示すように、極性が異なるため、逆バイアス方向も逆になる。これにより、駆動選択期間Ｈｔｘに、駆動信号パルスＳｇが印加されても、第１発光素子部ＤＥＬの発光が抑制される。そして、図２１に示すように、第１電極ドライバ１４が、駆動電極Ｔｘ１から駆動電極Ｔｘ４を時分割的に線順次走査するように駆動しても、いずれの駆動信号パルスＳｇによっても第１発光素子部ＤＥＬの発光が抑制される。
【００６９】
電圧制御回路１７は、第１発光素子部ＤＥＬが点灯の状態とするために、第１電極部３１の電圧Ｖａに対して第２電極部３２の電圧Ｖｋの差を順バイアス方向の発光駆動電圧ΔＶＦＬに近づけるように制御して、図２２に示すように、第１電極部３１と第２電極部３２との間に発光駆動電圧ΔＶＦＬ以上の順バイアス方向の電圧を印加する。この場合、第１電極ドライバ１４は、第１電極部３１の全部の第１導体層（駆動電極Ｔｘ１から駆動電極Ｔｘｎ）に共通の電圧として第２電極部３２の電圧Ｖｋを印加する。このとき、第１電極ドライバ１４は、第１電極部３１と第２電極部３２との間に、パルスの立ち上がり方向が逆バイアス方向の駆動信号パルスＳｇを印加する。その結果、駆動信号パルスＳｇが印加された駆動選択期間Ｈｔｘを除いて、第１発光素子部ＤＥＬには発光駆動電圧ΔＶＦＬが印加される。
【００７０】
図２３に示すように、発光駆動電圧ΔＶＦＬが印加されている点灯期間Ｈｆｌでは、第１発光素子部ＤＥＬは、発光する。また、第１電極ドライバ１４が、例えば駆動電極Ｔｘ１から駆動電極Ｔｘ４を時分割的に順次走査するように駆動して選択した駆動電極Ｔｘへ駆動信号パルスＳｇを印加する。駆動選択期間Ｈｔｘにおいて、駆動信号パルスＳｇは、第１電極部３１と第２電極部３２との間の電圧を、駆動選択期間Ｈｔｘにおいて発光駆動電圧ΔＶＦＬ以下とする。その結果、第１発光素子部ＤＥＬを発光させる順バイアス方向の発光駆動電圧ΔＶＦＬを印加できない場合、第１発光素子部ＤＥＬの発光が一時的に抑制される。
【００７１】
また、第１発光素子部ＤＥＬの発光が抑制される駆動選択期間Ｈｔｘは、一時的であるため、第１発光素子部ＤＥＬの発光の消灯又は減光が認識されにくい。その結果、第１発光素子部ＤＥＬの点灯量が制御部１１の指令に基づいた電圧制御回路１７が制御する第２電極部３２の電圧Ｖｋに応じて変化する。
【００７２】
以上説明したように、実施形態１及び実施形態の各変形例に係る入力装置２は、第１電極部３１が１つの層に形成される複数の第１導電層を備え、第２電極部３２の第２導電層が、平面視で、複数の第１導電層と重なり合う大きさを有する。第１発光素子部ＤＥＬが発光する第１電極部３１の第１導電層及び第２電極部３２の第２導電層との間の順バイアス方向の印加電圧に対して逆方向である逆バイアス方向にパルスが立ち上がる駆動信号パルスＳｇが、第１電極部３１の複数の第１導電層の一部に印加される。
【００７３】
具体的には、実施形態１及び実施形態の各変形例に係る入力装置２は、第１電極部３１に電圧を供給する第１電極ドライバ１４と、第２電極部３２に電圧を供給する第２電極ドライバ１５と、第１基板２１の第１面２０１に平面視で重なり合う位置の近接物体の座標に応じて変化する第１電極部と第３電極部３３との間の電界の変化を駆動信号パルスＳｇに応答する検出信号Ｖｄｅｔとして検出する近接検出処理部４０とを備える。そして、上述したように、第１電極ドライバ１４は、第１電極部３１の一部の第１導電層を駆動電極の検出ブロックとして時分割で走査し、駆動信号パルスＳｇを走査した第１電極部３１の一部の第１導電層（駆動電極Ｔｘ）に供給する。
【００７４】
実施形態１及び実施形態の各変形例に係る入力装置２は、フロントライトとして機能する場合、第２電極ドライバ１５が、第１電極部３１と第２電極部３２との間に順バイアス方向の印加電圧を加え、発光駆動電圧ΔＶＦＬを印加すると、第１発光素子部ＤＥＬを発光する。第２電極ドライバ１５は、発光駆動電圧ΔＶＦＬ以上の電圧値を制御することにより、第１発光素子部ＤＥＬの発光量を制御する。
【００７５】
これにより、入力装置２は、複数の第１導電層の一部に駆動信号パルスＳｇが印加されても、第１発光素子部ＤＥＬの発光が抑制される。そして、入力装置２は、第１電極部３１の駆動電極Ｔｘに駆動信号パルスＳｇが印加されても、意図しない第１発光素子部ＤＥＬの発光を抑制することができる。
【００７６】
（実施形態２）
次に、実施形態２に係る入力装置２について説明する。図２４は、実施形態２に係る入力装置の構造を模式的に示す断面図である。図２５は、実施形態２に係る入力装置の第１電極部、第２電極部及び第３電極部の平面視の位置関係を説明するための説明図である。図２４の断面は、図２５のＡ−Ａ断面である。なお、上述した実施形態１及び実施形態１の各変形例で説明したものと同じ構成要素には同一の符号を付して重複する説明は省略する。
【００７７】
図２４及び図２５に示すように、実施形態２に係る入力装置２は、第１基板２１と、第１電極部３１と、第２電極部３２と、発光層２２と、第３電極部３３と、絶縁層２５と、第４導電層３５とを有する。第２電極部３２は、絶縁性の保護層２３で覆われている。絶縁性の保護層２３は、形成しなくてもよい。第１基板２１は、第１面２０１及び第２面２０２を備える、ガラス等の透光性基板である。入力装置２は、図２４の第１面２０１が図８に示す観察者２００側となり、第２面２０２が表示部９側になる。
【００７８】
図２４に示すように、第１電極部３１は、第１基板２１の第２面２０２側の１つの層に形成される導電性の第１導電層である。図２４及び図２５に示すように、第１電極部３１は、複数の第１導電層が平面視で一方向に連続して延びる形状を備え、発光層２２との間には、絶縁層２５がある。
【００７９】
図２４に示すように、第３電極部３３は、第１基板２１の第２面２０２側の１つの層に形成される導電性の第３導電層である。図２４及び図２５に示すように、第３電極部３３は、複数の第３導電層が、平面視で第１電極部３１の第１導電層と交差する交差方向に連続して延びる形状を備え、発光層２２との間には、絶縁層２５がある。
【００８０】
第１電極部３１の第１導電層と第３電極部３３の第３導電層とが交差するそれぞれの部分では、第１電極部３１の第１導電層が第３導電層で分断される。そして、第１電極部３１の第１導電層と、第３電極部３３の第３導電層とは、絶縁層２５で絶縁される。導電性の第４導電層３５は、第１電極部３１の第１導電層と第３電極部３３の第３導電層とが交差する部分において、第３導電層で分断された第１導電層の端部同士を接続し、第３導電層と絶縁された状態で第３導電層を跨ぐ迂回層である。第４導電層３５の材料としては、金属光沢を有する金属材料、例えばアルミニウム（Ａｌ）、銀（Ａｇ）、クロム（Ｃｒ）、及び、それらを含む合金などであり、発光層２２の発光を反射できる。
【００８１】
第１電極部３１の第１導電層は、例えばＩＴＯ、又はＩＺＯ等の透明性を有する透光性導電性材料又は導電性の金属材料で形成されている。第１電極部３１の第１導電層の材料としては、金属光沢を有する金属材料、例えばアルミニウム（Ａｌ）等が発光層２２の発光を反射できるため、好ましい。
【００８２】
発光層２２は、平面視で、複数の上記第１導電層と重なり合う大きさを有している。発光層２２は、図２４に示すように、第１電極部３１と第２電極部３２との間に形成され、第１電極部３１とは、第４導電層３５を介して電気的に接続している。具体的には、発光層２２は、図２４に示すように、第２面２０２側に突出する凸部２２ａを備えている。絶縁層２５は、第１電極部３１と発光層２２との間に形成されている。このため、発光層２２は、凸部２２ａで第１電極部３１の第１導電層に第４導電層３５を介して電気的に接している。第１コンタクト部３６Ａ、３６Ｂは、凸部２２ａで第１電極部３１の第１導電層に第４導電層３５を介して電気的に接している部分であり、言い換えれば、第１電極部３１と第４導電層３５とは、第１コンタクト部３６Ａ、３６Ｂで電気的に導通する。そして、発光層２２は、第４導電層３５と電気的に導通している。発光層２２は、有機材料を含み、不図示のホール注入層、ホール輸送層、有機層、電子輸送層、電子注入層を含む。
【００８３】
第２電極部３２は、第１電極部３１と異なる層に形成される導電性の第２導電層である。第２導電層は、平面視で、複数の上記第１導電層と重なり合う大きさを有しているベタ膜である。第２電極部３２の第２導電層は、発光層２２の全面と電気的に接している。第２電極部３２の導電層は、例えばＩＴＯ、又はＩＺＯ等の透明性を有する透光性導電性材料で形成されている。
【００８４】
第１発光素子部ＤＥＬ１は、第１電極部３１と、発光層２２と、第２電極部３２とを有し、第１電極部３１と第２電極部３２とに順バイアス方向の電圧を印加されることで発光層２２が発光する。第１発光素子部ＤＥＬ１は、電圧が印加されると、発光層２２が第１電極部３１に導通する第４導電層３５の形状に沿った発光をすることができる。これにより、平面視で部分的に発光部が生じ、入力装置２は、図８に示す表示部９に対して、光を照射することのできるフロントライトとして、機能する。
【００８５】
第３電極部３３は、第１基板２１の第２面２０２側に形成され、第１電極部３１の第１導電層と絶縁されている。第３電極部３３が形成される第２面２０２とは反対側の第１面２０１は、近接物体の入力座標の基準となる基準平面（座標入力基準面）である。
【００８６】
上述したように、第１電極部３１は、駆動信号パルスＳｇを印加する送信側の駆動電極Ｔｘであり、第３電極部３３は、上述した近接検出電極Ｒｘである（図７参照）。このため、入力装置２が近接検出動作を行う際、第３電極部３３は、第１基板２１の第１面２０１に平面視で重なり合う位置の近接物体の座標に応じて変化する第１電極部３１との間の電界の変化を近接検出処理部４０（図１参照）へ出力できる。
【００８７】
まず、入力装置２の製造方法としては、第１基板２１が用意され、第１基板２１の第２面２０２には、第１電極部３１の第１導電層及び第３電極部３３の第３導電層が同時にパターニングされる。次に、入力装置２は、第１電極部３１の第１導電層及び第３電極部３３の第３導電層を覆う絶縁性の絶縁層２５を形成する。次に、絶縁層２５の一部をウェットエッチング、ドライエッチング等によりエッチングし、第１電極部３１の第１導電層の第１コンタクト部３６Ａ、３６Ｂに対応する位置を露出させる。次に、入力装置２は、第３電極部３３の第３導電層で分断された第１電極部３１の第１導電層の端部同士を接続するように、絶縁層２５の表面及び第１コンタクト部３６Ａ、３６Ｂに第４導電層３５を形成する。次に、絶縁層２５及び第４導電層３５を覆うように発光層２２が形成される。次に、入力装置２は、発光層２２に、第２電極部３２の第２導電層が形成される。次に、入力装置２は、アルミナ（Ａｌ２Ｏ３）等の透光性の絶縁体で保護層２３が形成される。以上説明したように、実施形態２に係る入力装置２は、第１電極部３１の第１導電層及び第３電極部３３の第３導電層が同時に形成され、製造コストが低減できる。
【００８８】
入力装置２は、第１電極部３１の第１導電層及び第３電極部３３の第３導電層が同一の階層に形成されるので、厚みを薄くすることができる。
【００８９】
（実施形態２の変形例１）
次に、実施形態２の変形例１に係る入力装置２について説明する。図２６は、実施形態２の変形例１に係る入力装置の第１電極部、第２電極部及び第３電極部の平面視の位置関係を説明するための説明図である。なお、上述した実施形態１及び実施形態２で説明したものと同じ構成要素には同一の符号を付して重複する説明は省略する。
【００９０】
第１遮光部３１Ａは、第１電極部３１の第１導電層と同層に形成され、第１電極部３１の第１導電層が延びる方向と交差する交差方向に第１導電層の幅が広がる幅広部分である。第１遮光部３１Ａの交差方向の長さは、第４導電層３５の交差方向の最大長さより長い。第１遮光部３１Ａは、第１基板２１の第１面２０１に垂直な方向でみると、第４導電層３５の第１コンタクト部３６Ａ、３６Ｂを覆うことができる。これにより、第１コンタクト部３６Ａ、３６Ｂの抵抗が下がり、第１発光素子部ＤＥＬ１の発光効率が向上する。
【００９１】
第１遮光部３１Ａは、遮光性を有している。第１遮光部３１Ａは、遮光性のある材料は問わない。第１遮光部３１Ａの材料としては、金属光沢を有する金属材料、例えばアルミニウム（Ａｌ）、銀（Ａｇ）、クロム（Ｃｒ）、及び、それらを含む合金等であり、発光層２２の発光を反射できる。また、第１遮光部３１Ａが第１電極部３１の第１導電層と同じ材料であると、形成しやすい。以上説明したように、第１発光素子部ＤＥＬ１は、第１遮光部３１Ａを備えることで、第１基板２１の第１面２０１側に光漏れすることを抑制することができる。
【００９２】
（実施形態２の変形例２）
次に、実施形態２の変形例２に係る入力装置２について説明する。図２７は、実施形態２の変形例２に係る入力装置の第１電極部及び第３電極部の平面視の位置関係を説明するための説明図である。図２７において、第２電極部３２は、実施形態２と同様であり、図示を省略している。なお、上述した実施形態１及び実施形態２及びこれらの各変形例で説明したものと同じ構成要素には同一の符号を付して重複する説明は省略する。
【００９３】
実施形態２の変形例２に係る入力装置２は、第１発光素子部ＤＥＬ１に加え、第２発光素子部ＤＥＬ２を備えている。第１電極部３１は、第１導電層の一部が導電性の第５導電層３５Ｃを介して、発光層２２に接続している。このため、第２発光素子部ＤＥＬ２は、第３電極部３３の隣合う第３導電層の間に延びる第１電極部３１の第１導電層の一部と接続し、発光層２２の一部と電気的に接続されている第２コンタクト部３６Ｃを備える。第２発光素子部ＤＥＬ２は、第１電極部３１と、発光層２２と、第２電極部３２とを有し、第１電極部３１と第２電極部３２とに順バイアス方向の電圧を印加されることで発光層２２が発光する。
【００９４】
第２遮光部３１Ｃは、第１電極部３１の第１導電層と同層に形成され、第１電極部３１の第１導電層が延びる方向と交差する交差方向に第１導電層の幅が広がる幅広部分である。第２遮光部３１Ｃの交差方向の長さは、第５導電層３５Ｃの交差方向の最大長さより長い。第２遮光部３１Ｃは、第１基板２１の第１面２０１に垂直な方向でみると、第５導電層３５Ｃの第２コンタクト部３６Ｃを覆うことができる。これにより、第２コンタクト部３６Ｃの抵抗が下がり、第２発光素子部ＤＥＬ２の発光効率が向上する。
【００９５】
第２遮光部３１Ｃは、遮光性を有していることが好ましく、遮光性のある材料は問わない。第２遮光部３１Ｃの材料としては、金属光沢を有する金属材料、例えばアルミニウム（Ａｌ）、銀（Ａｇ）、クロム（Ｃｒ）、及び、それらを含む合金等が発光層２２の発光を反射できるため、好ましい。また、第２遮光部３１Ｃが第１電極部３１の第１導電層と同じ材料であると、形成しやすい。これにより、第２発光素子部ＤＥＬ２は、第２遮光部３１Ｃを備えることで、第１基板２１の第１面２０１側に光漏れすることを抑制することができる。
【００９６】
（実施形態２の変形例３）
次に、実施形態２の変形例３に係る入力装置２について説明する。図２８は、実施形態２の変形例３に係る入力装置の第１電極部及び第３電極部の平面視の位置関係を説明するための説明図である。図２８において、第２電極部３２は、実施形態２と同様であり、図示を省略している。なお、上述した実施形態１及び実施形態２及びこれらの各変形例で説明したものと同じ構成要素には同一の符号を付して重複する説明は省略する。
【００９７】
実施形態２の変形例３に係る入力装置２は、第１発光素子部ＤＥＬ１に加え、第２発光素子部ＤＥＬ２及び第２発光素子部ＤＥＬ３を備えている。第２発光素子部ＤＥＬ３は、第２発光素子部ＤＥＬ２と同様の構成を備えている。第１電極部３１は、第１導電層の一部が導電性の第５導電層３５Ｄを介して、発光層２２に接続している。このため、第２発光素子部ＤＥＬ３は、第３電極部３３の隣合う第３導電層の間に延びる第１電極部３１の第１導電層の一部と接続し、発光層２２の一部と電気的に接続されている第２コンタクト部３６Ｄを備える。第２発光素子部ＤＥＬ３は、第１電極部３１と、発光層２２と、第２電極部３２とを有し、第１電極部３１と第２電極部３２とに順バイアス方向の電圧を印加されることで発光層２２が発光する。
【００９８】
第２遮光部３１Ｄは、第１電極部３１の第１導電層と同層に形成され、第１電極部３１の第１導電層が延びる方向と交差する交差方向に第１導電層の幅が広がる幅広部分である。第２遮光部３１Ｄの交差方向の長さは、第５導電層３５Ｄの交差方向の最大長さより長い。第２遮光部３１Ｄは、第１基板２１の第１面２０１に垂直な方向でみると、第５導電層３５の第２コンタクト部３６Ｄを覆うことができる。これにより、第２コンタクト部３６Ｄの抵抗が下がり、第２発光素子部ＤＥＬ３の発光効率が向上する。
【００９９】
第２遮光部３１Ｄは、遮光性を有していることが好ましく、遮光性のある材料は問わない。第２遮光部３１Ｄの材料としては、金属光沢を有する金属材料、例えばアルミニウム（Ａｌ）、銀（Ａｇ）、クロム（Ｃｒ）、及び、それらを含む合金等が発光層２２の発光を反射できるため、好ましい。また、第２遮光部３１Ｄが第１電極部３１の第１導電層と同じ材料であると、形成しやすい。これにより、第２発光素子部ＤＥＬ３は、第２遮光部３１Ｄを備えることで、第１基板２１の第１面２０１側に光漏れすることを抑制することができる。
【０１００】
第２コンタクト部３６Ｄは、第２コンタクト部３６Ｃよりも面積が大きくなっている。これにより、第２発光素子部ＤＥＬ３は、第２発光素子部ＤＥＬ２よりも発光量が多くなる。
【０１０１】
図２８に示すように、座標入力面ＰＬＥを垂直方向にみた平面視において、第１電極部３１の第１導電層の配線抵抗の影響で、座標入力面ＰＬＥの中央部Ｘｃと、座標入力面ＰＬＥの端部Ｘｅよりも第１発光素子部ＤＥＬ１の発光量（輝度）が低下する可能性がある。そこで、実施形態２の変形例３に係る入力装置２は、座標入力面ＰＬＥの中央部Ｘｃ寄りには、第２発光素子部ＤＥＬ３を配置し、座標入力面ＰＬＥの端部Ｘｅ寄りには第２発光素子部ＤＥＬ２を配置している。これにより、入力装置２は、フロントライトとして機能する場合、面内の発光量を均等に近づけることができる。
【０１０２】
図２９は、実施形態２の変形例３に係る入力装置の第１電極部及び第３電極部の平面視の他の位置関係を説明するための説明図である。図２９に示すように、実施形態２の変形例３に係る入力装置２は、座標入力面ＰＬＥの中央部Ｘｃには、第２発光素子部ＤＥＬ２を複数配置し、座標入力面ＰＬＥの端部Ｘｅには第２発光素子部ＤＥＬ２を１つ配置している。このように、実施形態２の変形例３に係る入力装置２は、座標入力面ＰＬＥの中央部Ｘｃ寄りに配置される第２発光素子部ＤＥＬ２の数は、座標入力面ＰＬＥの端部Ｘｅ寄りに配置される第２発光素子部ＤＥＬ２よりも単位面積当たり多く配置している。これにより、入力装置２は、フロントライトとして機能する場合、面内の発光量を均等に近づけることができる。
【０１０３】
（実施形態２の変形例４）
次に、実施形態２の変形例４に係る入力装置２について説明する。図３０は、実施形態２の変形例４に係る入力装置において、第１コンタクト部の照射光を説明するための拡大断面図である。図３１は、実施形態１に係る入力装置の照射光を説明するための拡大断面図である。なお、上述した実施形態１及び実施形態２及びこれらの各変形例で説明したものと同じ構成要素には同一の符号を付して重複する説明は省略する。
【０１０４】
図３０に示すように、発光層２２は、第１コンタクト部３６Ａ（３６Ｂ）の第２面２０２と平行な断面の面積が、第２面２０２に近づくにつれて小さくなるように凸部が形成されている。第１コンタクト部３６Ａ（３６Ｂ）は、金属光沢を有する金属で形成される第４導電層３５であり、凸部の側面３５Ｒが第２面２０２に対して傾斜する傾斜面である。
【０１０５】
図３１に示すように、実施形態１に係る発光層２２は、第１電極部３１の複数の第１導電層と直接接しており、接している面は、平坦にちかい。このため、実施形態１に係る発光層２２が発光する放射状の光ＬＦ１１、ＬＦ１２、ＬＦ１３のうち、図８に示す入力装置２からＬＦ１方向側に光を照射することができるのは、光ＬＦ１１、ＬＦ１２である。
【０１０６】
これに対し、図３０に示すように、実施形態２の変形例４の発光層２２が発光する放射状の光ＬＦ１３は、凸部の側面３５Ｒで反射され、角度が図８に示す入力装置２からＬＦ１方向側に向くようにできる。このため、発光層２２が発光する放射状の光ＬＦ１１、ＬＦ１２、ＬＦ１３のうち、図８に示す入力装置２からＬＦ１方向側に光を照射することができるのは、光ＬＦ１１、ＬＦ１２、ＬＦ１３とすることができ、実施形態２の変形例４に係る入力装置２は、フロントライトとして発光効率を向上させることができる。
【０１０７】
（実施形態２の変形例５）
次に、実施形態２の変形例５に係る入力装置２について説明する。図３２は、実施形態２の変形例５に係る入力装置の第１電極部、第２電極部及び第３電極部の平面視の位置関係を説明するための説明図である。なお、上述した実施形態１及び実施形態２で説明したものと同じ構成要素には同一の符号を付して重複する説明は省略する。
【０１０８】
図３２に示すように、実施形態２の変形例５に係る入力装置２は、第１基板２１と、第１電極部３１と、第２電極部３２と、発光層２２と、第３電極部３３と、絶縁層２５と、第４導電層３５とを有する。第２電極部３２は、絶縁性の保護層２３で覆われている。絶縁性の保護層２３は、形成しなくてもよい。第４導電層３５の第１コンタクト部３６Ａ、３６Ｂの断面は、図２４と同様となる。
【０１０９】
図３２に示すように、第１電極部３１は、第１基板２１の第２面２０２側の１つの層に形成される導電性の第１導電層である。図３２及び図２５に示すように、第１電極部３１は、複数の第１導電層が平面視で点在する島状を備え、発光層２２との間には、絶縁層２５がある。導電性の第４導電層３５は、第３導電層で分断された隣合う第１電極部３１の第１導電層の端部同士を接続し、第３導電層と絶縁された状態で第３導電層を跨ぐ。これにより、第１電極部３１の第１導電層が第４導電層３５で接続される方向は、一方向に延びる。
【０１１０】
図３２に示すように、第３電極部３３は、第１基板２１の第２面２０２側の１つの層に形成される導電性の第３導電層である。図３２及び図２５に示すように、第３電極部３３は、複数の第３導電層が、平面視で第１電極部３１の第１導電層が延びる方向と交差する交差方向に連続して延びる矩形の形状を備え、発光層２２との間には、絶縁層２５がある。
【０１１１】
第１電極部３１の第１導電層の形状は、矩形に限られず、ダイヤモンド形状、菱形状、面取りをした正方形状等の平面形状であってもよく、平面視で、絶縁されつつ、複数の第３導電層のうち隣合う第３導電層の間の開口を埋める形状であればよい。同様に、第３電極部３３の第３導電層の形状は、矩形に限られず、ダイヤモンド形状、菱形状、面取りをした正方形状等の平面形状を交差方向に電気的に接続した形状でもよく、平面視で、絶縁されつつ、複数の第１導電層のうち隣合う第１導電層の間の開口を埋める形状であればよい。
【０１１２】
第１電極部３１の第１導電層の形状は、幅広であるので、例えばＩＴＯ、又はＩＺＯ等の透明性を有する透光性導電性材料である。これにより、観察者に対し、表示部９からの画像を明るく表示することができる。第３電極部３３の第３導電層の形状は、幅広であるので、例えばＩＴＯ、又はＩＺＯ等の透明性を有する透光性導電性材料である。そして、観察者に対し、表示部９からの画像を明るく表示することができる。
【０１１３】
第２電極部３２は、第１電極部３１と異なる層に形成される導電性の第２導電層である。第２導電層は、平面視で、複数の上記第１導電層と重なり合う大きさを有しているベタ膜である。第２電極部３２の第２導電層は、発光層２２の全面と電気的に接している。第２電極部３２の導電層は、例えばＩＴＯ、又はＩＺＯ等の透明性を有する透光性導電性材料で形成されている。
【０１１４】
第１発光素子部ＤＥＬ４は、第１電極部３１と、発光層２２と、第２電極部３２とを有し、第１電極部３１と第２電極部３２とに順バイアス方向の電圧を印加されることで発光層２２が発光する。第１発光素子部ＤＥＬ４は、電圧が印加されると、発光層２２が第１電極部３１に導通する第４導電層３５の形状に沿った発光をすることができる。これにより、平面視で部分的に発光部が生じ、入力装置２は、図８に示す表示部９に対して、光を照射することのできるフロントライトとして、機能する。
【０１１５】
図３３は、実施形態２の変形例５に係る入力装置の第１電極部、第２電極部及び第３電極部の平面視の他の位置関係を説明するための説明図である。実施形態２の変形例５に係る入力装置２は、第１電極部３１の第１導電層が幅広であるので、第２発光素子部ＤＥＬ５（第５導電層３５Ｅ）を配置する場所の自由度が大きい。図３３に示す実施形態２の変形例５に係る入力装置２は、第１発光素子部ＤＥＬ４に加え、第２発光素子部ＤＥＬ５を備えている。第１電極部３１は、第１導電層の一部が導電性の第５導電層３５Ｅを介して、発光層２２に接続している。このため、第２発光素子部ＤＥＬ５は、第３電極部３３の隣合う第３導電層の間にある第１電極部３１の第１導電層の一部と接続し、発光層２２の一部と電気的に接続されている第２コンタクト部３６Ｅを備える。第２発光素子部ＤＥＬ５は、第１電極部３１と、発光層２２と、第２電極部３２とを有し、第１電極部３１と第２電極部３２とに順バイアス方向の電圧を印加されることで発光層２２が発光する。
【０１１６】
以上説明したように、実施形態２及び実施形態２の各変形例に係る第１電極部３１は、第１発光素子部ＤＥＬ１又はＤＥＬ４の電極として機能するとともに、入力装置２の駆動電極Ｔｘとしても機能する。このため、入力装置２は、薄型となる。
【０１１７】
実施形態２及び実施形態２の各変形例に係る入力装置２は、実施形態１に係る入力装置２と同じ駆動制御で駆動できる。
【０１１８】
（実施形態３）
次に、実施形態３に係る入力装置２について説明する。図３４は、実施形態３に係る入力装置の構造を模式的に示す断面図である。図３５は、実施形態３に係る入力装置の第１電極部、第２電極部及び第３電極部の平面視の位置関係を説明するための説明図である。なお、上述した実施形態１、実施形態２、これらの各変形例で説明したものと同じ構成要素には同一の符号を付して重複する説明は省略する。
【０１１９】
図３４及び図３５に示すように、実施形態３に係る入力装置２は、第１基板２１と、第１電極部３１と、第２電極部３２と、発光層２２と、第３電極部３３と、絶縁層２５と、を有する。第２電極部３２は、絶縁性の保護層２３で覆われている。絶縁性の保護層２３は、形成しなくてもよい。第１基板２１は、第１面２０１及び第２面２０２を備える、ガラス等の透光性基板である。入力装置２は、図３４の第１面２０１が図８に示す観察者２００側となり、第２面２０２が表示部９側になる。
【０１２０】
図３４に示すように、第１電極部３１は、第１基板２１の第２面２０２側の１つの層に形成される導電性の第１導電層である。図３４及び図３５に示すように、第１電極部３１は、複数の第１導電層が平面視で一方向に連続して延びる形状を備え、発光層２２との間には、絶縁層２５がある。
【０１２１】
図３４に示すように、第３電極部３３は、第１基板２１の第１面２０１側の１つの層に形成される導電性の第３導電層である。第３電極部３３は、第１基板２１により、第１電極部３１と絶縁されている。第３電極部３３は、第１電極部３１と絶縁されていればよく、図１３及び図１４に示すような第１電極部３１との位置関係にあってもよい。図３４及び図３５に示すように、第３電極部３３は、複数の第３導電層が、平面視で第１電極部３１の第１導電層と交差する交差方向に連続して延びる形状を備える。
【０１２２】
発光層２２は、平面視で、複数の上記第１導電層と重なり合う大きさを有している。発光層２２は、図３４に示すように、第２面２０２側に突出する凸部２２ａを備えている。この凸部２２ａは、面内に複数形成されている。絶縁層２５は、第１電極部３１と発光層２２との間に形成されている。このため、発光層２２は、凸部２２ａで第１電極部３１の第１導電層に電気的に接している。
【０１２３】
実施形態３に係る入力装置２は、第１電極部３１と第３電極部３３との交差部に配置位置が限定されない発光素子部であって、第１電極部３１の第１導電層の一部と電気的に接する発光層２２の凸部２２ａが発光する第１発光素子部ＤＥＬ６を備えている。コンタクト部３６Ｆは、発光層２２の凸部２２ａと第１電極部３１とが接する部分となる。第１発光素子部ＤＥＬ６は、第１電極部３１と、発光層２２の凸部２２ａと、第２電極部３２とを有し、第１電極部３１と第２電極部３２とに順バイアス方向の電圧を印加されることで発光層２２の凸部２２ａが発光する。
【０１２４】
第１遮光部３１Ａは、第１電極部３１の第１導電層と同層に形成され、第１電極部３１の第１導電層が延びる方向と交差する交差方向に第１導電層の幅が広がる幅広部分である。第１遮光部３１Ａの交差方向の長さは、凸部２２ａにおける第１コンタクト部３６Ｆの交差方向の最大長さより長い。第１遮光部３１Ａは、第１基板２１の第１面２０１に垂直な方向でみると、第１コンタクト部３６Ｆを覆うことができる。これにより、第１コンタクト部３６Ｆの抵抗が下がり、第１発光素子部ＤＥＬ６の発光効率が向上する。
【０１２５】
第１遮光部３１Ａは、遮光性を有していれば、遮光性のある材料は問わない。第１遮光部３１Ａの材料としては、金属光沢を有する金属材料、例えばアルミニウム（Ａｌ）、銀（Ａｇ）、クロム（Ｃｒ）、及び、それらを含む合金等としたので、発光層２２の発光を反射できる。また、第１遮光部３１Ａが第１電極部３１の第１導電層と同じ材料であると、形成しやすい。これにより、第１発光素子部ＤＥＬ６は、第１遮光部３１Ａを備えることで、第１基板２１の第１面２０１側に光漏れすることを抑制することができる。
【０１２６】
（実施形態３の変形例１）
次に、実施形態３の変形例１に係る入力装置２について説明する。図３６は、実施形態３の変形例１に係る入力装置の構造を模式的に示す断面図である。図３７は、実施形態３の変形例１に係る入力装置の第１電極部、第２電極部及び第３電極部の平面視の位置関係を説明するための説明図である。なお、上述した実施形態１、実施形態２、これらの各変形例及び実施形態３で説明したものと同じ構成要素には同一の符号を付して重複する説明は省略する。
【０１２７】
実施形態３の変形例１に係る入力装置２は、図３７に示すように、第１電極部３１と第３電極部３３との交差部に配置位置が限定されない発光素子部であって、第１電極部３１の第１導電層の一部と電気的に接する発光層２２の凸部２２ｂが発光する第１発光素子部ＤＥＬ７を備えている。発光層２２は、図３６に示すように、第１電極部３１と第２電極部３２との間に形成され、第１電極部３１と第４導電層３５Ｇを介して電気的に接続している。具体的には、第１電極部３１と第４導電層３５Ｇとは、第１コンタクト部３６Ｇで電気的に導通する。そして、発光層２２は、第４導電層３５Ｇと電気的に導通している。つまり、第１コンタクト部３６Ｇは、発光層２２の凸部２２ｂと第１電極部３１とが接する部分に第４導電層３５Ｇを介在させる。第１発光素子部ＤＥＬ７は、第１電極部３１と、発光層２２の凸部２２ｂと、第２電極部３２と、第４導電層３５Ｇとを有し、第１電極部３１と第２電極部３２とに順バイアス方向の電圧を印加されることで発光層２２の凸部２２ｂが発光する。
【０１２８】
第４導電層３５Ｇは、遮光性を有していれば第１遮光部となり、材料は問わない。第１遮光部の材料としては、金属光沢を有する金属材料、例えばアルミニウム（Ａｌ）、銀（Ａｇ）、クロム（Ｃｒ）、及び、それらを含む合金等であると、発光層２２の発光を反射できる。これにより、第４導電層３５Ｇは、第１遮光部として、発光層２２よりも第１基板２１の第１面２０１寄りに配置されることで、第１基板２１の第１面２０１側に光漏れすることを抑制することができる。
【０１２９】
発光層２２の凸部２２ｂは、図３０に示したように、第１コンタクト部の第２面２０２と平行な断面の面積が、第２面２０２に近づくにつれて小さくなるような凸部であってもよい。この場合、第４導電層３５Ｇは、金属光沢を有する金属で形成され、凸部の側面が第２面２０２に対して傾斜する傾斜面であると、第２実施形態の変形例４の入力装置２と同様に、フロントライトとして発光効率を向上させることができる。
【０１３０】
（実施形態３の変形例２）
次に、実施形態３の変形例２に係る入力装置２について説明する。図３８は、実施形態３の変形例２に係る入力装置の構造を模式的に示す断面図である。図３９は、実施形態３の変形例２に係る入力装置の第１電極部、第２電極部及び第３電極部の平面視の位置関係を説明するための説明図である。なお、上述した実施形態１、実施形態２及び実施形態３と、これらの各変形例とで説明したものと同じ構成要素には同一の符号を付して重複する説明は省略する。
【０１３１】
発光層２２ｃは、図３８に示すように、第１電極部３１と第２電極部３２との間に形成され、第１電極部３１と第４導電層３５Ｈを介して電気的に接続している。具体的には、第１電極部３１と第４導電層３５Ｈとは、第１コンタクト部３６Ｈで電気的に導通する。そして、発光層２２ｃは、第４導電層３５Ｈと電気的に導通している。つまり、第１コンタクト部３６Ｈは、発光層２２ｃと第１電極部３１とが接する部分に第４導電層３５Ｈを介在させる。第１発光素子部ＤＥＬ８は、第１電極部３１と、発光層２２ｃと、第２電極部３２と、第４導電層３５Ｈとを有し、第１電極部３１と第２電極部３２とに順バイアス方向の電圧を印加されることで発光層２２ｃが発光する。
【０１３２】
図３９に示すように、発光層２２ｃは、平面視で複数島状に配置され、１つの発光層２２ｃが１つの第１導電層と重なり合う。発光層２２ｃは、図３９に示すように、平面視で、第４導電層３５Ｈの面積以下となっており、絶縁層２５が発光層２２ｃの周囲を囲んでいる。絶縁層２５は、発光層２２ｃの周囲では、第１電極部３１と第２電極部３２とを絶縁している。このため、発光層２２ｃの全体で第１電極部３１の第１導電層に電気的に接している。
【０１３３】
まず、入力装置２の製造方法としては、第１基板２１が用意され、第１基板２１の第２面２０２には、第１電極部３１の第１導電層がパターニングされる。次に、入力装置２は、第１電極部３１の第１導電層の表面に、第４導電層３５Ｈがパターニングされる。次に、入力装置２の製造方法は、第４導電層３５Ｈの表面に発光層２２ｃをパターニングする。発光層２２ｃを形成する前に、第１電極部３１間の隙間、第４導電層３５Ｈの周囲及び発光層２２ｃの周囲は、平坦化する絶縁層２５で埋められる。次に、第２電極部３２の第２導電層が形成される。次に、入力装置２は、アルミナ（Ａｌ２Ｏ３）等の透光性の絶縁体で保護層２３が形成される。次に、入力装置２の製造方法は、第１基板２１の第１面２０１に第３電極部３３が形成される。以上説明したように、実施形態３の変形例２に係る入力装置２は、エッチング処理の工数が少なく、製造コストが低減できる。
【０１３４】
実施形態３の変形例２に係る入力装置２は、発光層２２ｃが部分的であり、ベタ膜ではないので、発光層２２ｃを通過する光が少ないので、透過率等の光学特性が向上する。例えば、第１発光素子部ＤＥＬ８が非点灯である場合、入力装置２は、表示部９（図８）参照の画像を明瞭に表示できるようになる。
【０１３５】
以上説明したように、実施形態３及び実施形態３の各変形例に係る第１電極部３１は、第１発光素子部ＤＥＬ６、ＤＥＬ７、ＤＥＬ８のいずれかの電極として機能するとともに、入力装置２の駆動電極Ｔｘとしても機能する。このため、入力装置２は、薄型となる。
【０１３６】
実施形態３及び実施形態３の各変形例に係る入力装置２は、実施形態１に係る入力装置２と同じ駆動制御で駆動できる。
【０１３７】
（実施形態４）
次に、図１、図６、図７、図４０から図４４を用いて、実施形態４に係る入力装置２の駆動制御について説明する。実施形態４に係る入力装置２は、実施形態１の入力装置２を例示して説明するが、上述した実施形態１、実施形態２及び実施形態３と、これらの各変形例とで説明したいずれの入力装置にも適用することができる。図４０は、実施形態４に係る第１駆動電極ドライバ及び第２駆動電極ドライバを説明するための説明図である。図４１は、第１発光素子が非点灯の状態において、駆動電極選択期間の第１電極部及び第２電極部の電圧を説明するための説明図である。図４２は、第１発光素子が点灯の状態において、駆動電極選択期間の第１電極部及び第２電極部の電圧を説明するための説明図である。図４０から図４２において、第１電極部３１は、第１発光素子部ＤＥＬのカソードであり、第２電極部３２は、第１発光素子部ＤＥＬのアノードである。なお、上述した実施形態１、実施形態２及び実施形態３と、これらの各変形例とで説明したものと同じ構成要素には同一の符号を付して重複する説明は省略する。
【０１３８】
入力装置２は、近接検出動作を行う際、図１に示す第１電極ドライバ１４が、図７に示す駆動電極Ｔｘを時分割的に線順次走査するように駆動する。これにより、スキャン方向Ｓｃａｎに第１電極部３１の駆動電極Ｔｘは、順次選択される。そして、入力装置２は、近接検出電極Ｒｘから近接検出信号Ｖｄｅｔを出力する。なお、入力装置２は、第１電極ドライバ１４が、図７に示す駆動電極Ｔｘを複数まとめて１検出ブロックとして時分割的に線順次走査するように駆動してもよい。
【０１３９】
図４０に示すように、実施形態４に係る第１電極ドライバ１４は、第１電極制御部１４１と、Ｔｘタイミング合成回路１９と、Ｔｘバッファー１６とを備える。第１電極制御部１４１は、制御部１１から供給される制御信号に基づいて、駆動信号Ｖｔｘを生成し、Ｔｘタイミング合成回路１９へ供給する。制御部１１は、ＥＬ点灯タイミング生成回路１８へ、表示部９へ点灯させる情報を与え、ＥＬ点灯タイミング生成回路１８は、Ｔｘタイミング合成回路１９へ、例えば点灯期間をハイレベル（Ｈ）とし、非点灯期間をローレベル（Ｌ）として第１発光素子部ＤＥＬの点灯量に応じたパルス幅の非点灯期間のパルス信号Ｓｔｉｍを生成する。Ｔｘタイミング合成回路１９は、ＥＬ点灯タイミング生成回路１８からの非点灯期間のパルス信号Ｓｔｉｍと、駆動信号Ｖｔｘとを合成し、Ｔｘバッファー１６へ与える。Ｔｘバッファー１６は、駆動信号Ｖｔｘに基づいて、駆動信号パルスＳｇに増幅された駆動信号パルスＳｇをスキャン方向Ｓｃａｎに順次選択された入力装置２の駆動電極Ｔｘ（第１電極部３１の一部）に供給する。
【０１４０】
第２電極ドライバ１５は、第２電極制御部１５１と、電圧制御回路１７とを備える。第２電極制御部１５１は、一定の電圧の電力を、電圧制御回路１７へ供給する。電圧制御回路１７は、制御部１１から供給される制御信号に基づいて、入力装置２の第２電極部３２へ供給する電圧を制御する。
【０１４１】
電圧制御回路１７は、第１発光素子部ＤＥＬが非点灯の状態とするために、第１電極部３１の電圧Ｖｋに対して第２電極部３２の電圧Ｖａを近づけるようにして、第１電極部３１の電圧Ｖｋと第２電極部３２の電圧Ｖａとの電圧が順方向の発光駆動電圧に達しないようにしている。この発光駆動電圧未満状態で、図４１に示すように、第１電極ドライバ１４は、第１電極部３１と第２電極部３２との間に、パルスの立ち上がり方向が逆バイアス方向の駆動信号パルスＳｇを印加する。これにより、駆動選択期間Ｈｔｘに、駆動信号パルスＳｇが印加されても、逆バイアス方向の電圧差が第１電極部３１と第２電極部３２との間にかかるだけなので、第１発光素子部ＤＥＬの発光が抑制される。図４１に示すように、第１電極ドライバ１４が、駆動電極Ｔｘ１から駆動電極Ｔｘ４を時分割的に線順次走査するように駆動すると、駆動電極Ｔｘ１から駆動電極Ｔｘ４に印加されるいずれの駆動信号パルスＳｇによっても第１発光素子部ＤＥＬの発光が抑制される。
【０１４２】
電圧制御回路１７は、第１発光素子部ＤＥＬが点灯の状態とするために、第１電極部３１の電圧Ｖｋに対して第２電極部３２の電圧Ｖａの差を発光駆動電圧ΔＶＦＬに近づけるように制御して、図４２に示すように、第１電極部３１と第２電極部３２との間に発光駆動電圧ΔＶＦＬ以上の順バイアス方向の電圧を印加する。このとき、第１電極ドライバ１４は、第１電極部３１と第２電極部３２との間に、パルスの立ち上がり方向が逆バイアス方向の駆動信号パルスＳｇを印加する。その結果、駆動信号パルスＳｇが印加された駆動選択期間Ｈｔｘを除いて、第１発光素子部ＤＥＬには発光駆動電圧ΔＶＦＬが印加される。
【０１４３】
これにより、図４２に示すように、発光駆動電圧ΔＶＦＬが印加されている点灯期間Ｈｆｌでは、第１発光素子部ＤＥＬは、発光する。また、第１電極ドライバ１４が、駆動電極Ｔｘ１から駆動電極Ｔｘ４を時分割的に線順次走査するように駆動すると、第１電極部３１と第２電極部３２との間の電圧が駆動選択期間Ｈｔｘにおいて発光駆動電圧ΔＶＦＬ以下となる。このため、駆動電極Ｔｘ１から駆動電極Ｔｘ４に印加されるいずれの駆動信号パルスＳｇによっても第１発光素子部ＤＥＬの発光が一時的に抑制される。また、第１発光素子部ＤＥＬの発光がされる駆動選択期間Ｈｔｘは、一時的であるため、第１発光素子部ＤＥＬの発光の消灯又は減光が認識されにくい。実施形態４では、さらに、非点灯期間のパルス信号Ｓｔｉｍが入力されている期間も第１電極部３１と第２電極部３２との間の電圧が発光駆動電圧ΔＶＦＬ以下となり、第１発光素子部ＤＥＬの発光が一時的に抑制される。その結果、第１発光素子部ＤＥＬの点灯量が制御部１１の指令に基づき電圧制御回路１７が制御した第２電極部３２に印加されるパルス信号Ｓｔｉｍに応じて変化する。
【０１４４】
第１電極部３１は、第１発光素子部ＤＥＬのアノードであり、第２電極部３２は、第１発光素子部ＤＥＬのカソードであってもよい。図４３は、第１発光素子が非点灯の状態において、駆動電極選択期間の第１電極部及び第２電極部の電圧を説明するための説明図である。図４４は、第１発光素子が点灯の状態において、駆動電極選択期間の第１電極部及び第２電極部の電圧を説明するための説明図である。図４３及び図４４において、第１電極部３１は、第１発光素子部ＤＥＬのアノードであり、第２電極部３２は、第１発光素子部ＤＥＬのカソードである。
【０１４５】
電圧制御回路１７は、第１発光素子部ＤＥＬが非点灯の状態とするために、第１電極部３１の電圧Ｖａに対して第２電極部３２の電圧Ｖｋを近づけるようにして、第１電極部３１の電圧Ｖａと第２電極部３２の電圧Ｖｋとの電圧が順方向の発光駆動電圧に達しないようにしている。この状態で、図４３に示すように、第１電極ドライバ１４は、第１電極部３１と第２電極部３２との間に、パルスの立ち上がり方向が逆バイアス方向の駆動信号パルスＳｇを印加する。これにより、駆動選択期間Ｈｔｘに、駆動信号パルスＳｇが印加されても、第１発光素子部ＤＥＬの発光が抑制される。そして、図４３に示すように、第１電極ドライバ１４が、駆動電極Ｔｘ１から駆動電極Ｔｘ４を時分割的に線順次走査するように駆動しても、いずれの駆動信号パルスＳｇによっても第１発光素子部ＤＥＬの発光が抑制される。
【０１４６】
電圧制御回路１７は、第１発光素子部ＤＥＬが点灯の状態とするために、第１電極部３１の電圧Ｖａに対して第２電極部３２の電圧Ｖｋの差を発光駆動電圧ΔＶＦＬに近づけるように制御して、図４４に示すように、第１電極部３１と第２電極部３２との間に発光駆動電圧ΔＶＦＬ以上の順バイアス方向の電圧を印加する。この場合、第１電極ドライバ１４は、第１電極部３１の全部の第１導体層（駆動電極Ｔｘ１から駆動電極Ｔｘｎ）に共通の電圧として第２電極部３２の電圧Ｖｋを印加する。このとき、第１電極ドライバ１４は、第１電極部３１と第２電極部３２との間に、パルスの立ち上がり方向が逆バイアス方向の駆動信号パルスＳｇを印加する。その結果、駆動信号パルスＳｇが印加された駆動選択期間Ｈｔｘを除いて、第１発光素子部ＤＥＬには発光駆動電圧ΔＶＦＬが印加される。
【０１４７】
これにより、図４４に示すように、発光駆動電圧ΔＶＦＬが印加されている点灯期間Ｈｆｌでは、第１発光素子部ＤＥＬは、発光する。また、第１電極ドライバ１４が、例えば駆動電極Ｔｘ１から駆動電極Ｔｘ４を時分割的に線順次走査するように駆動して選択した駆動電極Ｔｘへ駆動信号パルスＳｇを印加する。駆動選択期間Ｈｔｘにおいて、駆動信号パルスＳｇは、第１発光素子部ＤＥＬを発光させる電圧差を印加できない場合、第１発光素子部ＤＥＬの発光が一時的に抑制される。また、第１発光素子部ＤＥＬの発光がされる駆動選択期間Ｈｔｘは、一時的であるため、第１発光素子部ＤＥＬの発光の消灯又は減光が認識されにくい。駆動選択期間Ｈｔｘにおいて、駆動信号パルスＳｇが第１発光素子部ＤＥＬを発光させる電圧差を印加できても、第１発光素子部ＤＥＬの発光は、点灯期間Ｈｆｌにおける第１発光素子部ＤＥＬの発光と連続するので、違和感を認識されにくい。
【０１４８】
ＥＬ点灯タイミング生成回路１８は、Ｔｘタイミング合成回路１９へ、例えば点灯期間をローレベル（Ｌ）とし、非点灯期間をハイレベル（Ｈ）として第１発光素子部ＤＥＬの点灯量に応じた非点灯期間のパルス信号Ｓｔｉｍを生成する。このため、図４４に示すように、実施形態４では、さらに、非点灯期間のパルス信号Ｓｔｉｍが入力されている期間も第１発光素子部ＤＥＬの発光が一時的に抑制される。その結果、第１発光素子部ＤＥＬの点灯量が制御部１１の指令に基づき電圧制御回路１７が制御した第２電極部３２に印加されるパルス信号Ｓｔｉｍに応じて変化する。
【０１４９】
以上説明したように、実施形態４に係る入力装置２は、第１電極部３１が１つの層に形成される複数の第１導電層を備え、第２電極部３２の第２導電層が、平面視で、複数の第１導電層と重なり合う大きさを有する。第１発光素子部ＤＥＬが発光する第１電極部３１の第１導電層及び第２電極部３２の第２導電層との間の順バイアス方向の印加電圧に対して逆方向である逆バイアス方向にパルスが立ち上がる駆動信号パルスＳｇが、第１電極部３１の複数の第１導電層の一部に印加される。
【０１５０】
具体的には、実施形態４に係る入力装置２は、第１電極部３１に電圧を供給する第１電極ドライバ１４と、第２電極部３２に電圧を供給する第２電極ドライバ１５と、第１基板２１の第１面２０１に平面視で重なり合う位置の近接物体の座標に応じて変化する第１電極部と第３電極部３３との間の電界の変化を駆動信号パルスＳｇに応答する検出信号Ｖｄｅｔとして検出する近接検出処理部４０とを備える。そして、上述したように、第１電極ドライバ１４は、第１電極部３１の一部の第１導電層を駆動電極の検出ブロックとして時分割で走査し、駆動信号パルスＳｇを走査した第１電極部３１の一部の第１導電層（駆動電極Ｔｘ）に供給する。
【０１５１】
実施形態４に係る入力装置２は、フロントライトとして機能する場合、第２電極ドライバ１５が、第１電極部３１と第２電極部３２との間に順バイアス方向の印加電圧を加え、発光駆動電圧ΔＶＦＬを印加すると、第１発光素子部ＤＥＬを発光する。第１電極ドライバ１４は、逆バイアス方向にパルスが立ち上がる非点灯期間のパルス信号Ｓｔｉｍを第１電極部３１の全第１導電層に印加する。
【０１５２】
これにより、入力装置２は、複数の第１導電層の一部に駆動信号が印加されても、第１発光素子部ＤＥＬの発光が抑制される。さらに、第１電極部３１の全第１導電層へ印加する非点灯期間のパルス信号Ｓｔｉｍのパルス幅を可変することで、第１発光素子部ＤＥＬが点灯する点灯量を制御することができる。このように、入力装置２は、第１電極部３１の駆動電極Ｔｘに駆動信号パルスＳｇが印加されても、意図しない第１発光素子部ＤＥＬの発光を抑制することができる。
【０１５３】
（実施形態４の変形例１）
次に、図１、図６、図７、図４５から図４９を用いて、実施形態４の変形例１に係る入力装置２の駆動制御について説明する。実施形態４の変形例１に係る入力装置２は、実施形態１の入力装置２を例示して説明するが、上述した実施形態１、実施形態２及び実施形態３と、これらの各変形例とで説明したいずれの入力装置にも適用することができる。図４５は、実施形態４の変形例１に係る第１駆動電極ドライバ及び第２駆動電極ドライバを説明するための説明図である。第１電極部３１は、第１発光素子部ＤＥＬのカソードであり、第２電極部３２は、第１発光素子部ＤＥＬのアノードである。なお、上述した実施形態１、実施形態２及び実施形態３と、これらの各変形例とで説明したものと同じ構成要素には同一の符号を付して重複する説明は省略する。
【０１５４】
図４５に示すように、実施形態４に係る第１電極ドライバ１４は、第１電極制御部１４１と、Ｔｘタイミング合成回路１９と、Ｔｘバッファー１６とを備える。第１電極制御部１４１は、制御部１１から供給される制御信号に基づいて、駆動信号Ｖｔｘを生成し、Ｔｘタイミング合成回路１９へ供給する。制御部１１は、ＥＬ点灯タイミング生成回路１８へ、表示部９へ点灯させる表示同期信号Ｖｐと点灯量信号Ｖｇを与える。表示同期信号Ｖｐは、表示の書き換えに同期させて第１発光素子部ＤＥＬを発光させる要求信号であり、ＥＬ点灯タイミング生成回路１８は、表示同期信号Ｖｐの後に、点灯量信号Ｖｇに基づいて、点灯期間のパルス信号ＥＬｒｅｑを生成する。ＥＬ点灯タイミング生成回路１８は、Ｔｘタイミング合成回路１９へ、例えば点灯期間をハイレベル（Ｈ）とし、非点灯期間をローレベル（Ｌ）として第１発光素子部ＤＥＬの点灯量に応じたパルス幅の点灯期間のパルス信号ＥＬｒｅｑを生成し、供給する。
【０１５５】
第２電極ドライバ１５は、第２電極制御部１５１と、電圧制御回路１７とを備える。第２電極制御部１５１は、一定の電圧の電力を、電圧制御回路１７へ供給する。電圧制御回路１７は、制御部１１から供給される制御信号に基づいて、入力装置２の第２電極部３２へ供給する電圧を制御する。
【０１５６】
実施形態４の変形例１に係る電圧制御回路１７は、第１発光素子部ＤＥＬが非点灯の状態の場合、第１電極部３１の電圧Ｖｋに対して第２電極部３２の電圧Ｖａを近づけるようにしておき（図４７参照）、第１発光素子部ＤＥＬが点灯の状態であってもこのまま電圧を維持しておく。第１電極ドライバ１４は、第１電極部３１と第２電極部３２との間に、パルスの立ち上がり方向が逆バイアス方向の駆動信号パルスＳｇを印加する。これにより、駆動選択期間Ｈｔｘに、駆動信号パルスＳｇが印加されても、逆バイアス方向の電圧差が第１電極部３１と第２電極部３２との間にかかるだけなので、第１発光素子部ＤＥＬの発光が抑制される。そして、図４７に示すように、第１電極ドライバ１４が、駆動電極Ｔｘ１から駆動電極Ｔｘ４を時分割的に線順次走査すると、駆動電極Ｔｘ１から駆動電極Ｔｘ４に印加されるいずれの駆動信号パルスＳｇによっても第１発光素子部ＤＥＬの発光が抑制される。
【０１５７】
図４６は、実施形態４の変形例１に係る駆動制御のタイミングチャートである。図４６に示すように、第１電極制御部１４１は、制御部１１から駆動信号Ｖｔｘの前に要求信号Ｖｔｘｉｎを受け取る。第１期間Ｈ１において、要求信号Ｖｔｘｉｎが、表示同期信号Ｖｐ及び点灯期間のパルス信号ＥＬｒｅｑに重ならない。
【０１５８】
第１期間Ｈ１において、ＥＬ点灯タイミング生成回路１８からの点灯期間のパルス信号ＥＬｒｅｑが点灯パルスＳｅｌを生成するため反転される。点灯期間のパルス信号ＥＬｒｅｑの反転信号と駆動信号Ｖｔｘとが合成され、Ｔｘバッファー１６へ与えられる。Ｔｘバッファー１６は、スキャン方向Ｓｃａｎに順次選択された駆動電極Ｔｘｎ（第１電極部３１の一部）に駆動信号パルスＳｇと点灯パルスＳｅｌとが合成された出力を供給する。
【０１５９】
駆動信号パルスＳｇと、点灯パルスＳｅｌとのパルスの立ち上がり方向は、基準電圧信号Ｓｒｅｆに対して逆向きである。第１期間Ｈ１において、点灯パルスＳｅｌが順バイアス方向にパルスが立ち上がるパルスである。点灯パルスＳｅｌが印加されているとき、順バイアス方向の発光駆動電圧ΔＶＦＬが第１電極部３１と第２電極部３２との間に印加され、第１発光素子部ＤＥＬが発光する。点灯パルスＳｅｌは、複数のパルスからなり、パルス幅変調により第１発光素子部ＤＥＬの発光量が制御されてもよい。
【０１６０】
第２期間Ｈ２において、要求信号Ｖｔｘｉｎが、表示同期信号Ｖｐに重なる。第２期間Ｈ２において、点灯期間のパルス信号ＥＬｒｅｑが点灯パルスＳｅｌを生成するため反転される。そして、点灯期間のパルス信号ＥＬｒｅｑの反転信号が、駆動信号Ｖｔｘよりも遅いタイミングで合成するように遅延した上で、駆動信号ＶｔｘとともにＴｘバッファー１６へ与えられる。Ｔｘバッファー１６は、スキャン方向Ｓｃａｎに順次選択された駆動電極Ｔｘｎ（第１電極部３１の一部）に駆動信号パルスＳｇと点灯パルスＳｅｌとが合成された出力を供給する。第２期間Ｈ２においても、点灯パルスＳｅｌが入力装置２の第１電極部３１に印加されると、第１発光素子部ＤＥＬが発光する。このように、第１電極ドライバ１４は、要求信号Ｖｔｘｉｎと、表示同期信号Ｖｐとが重なった場合は、駆動信号Ｖｔｘを駆動した後、点灯パルスＳｅｌを駆動する。
【０１６１】
第３期間Ｈ３において、要求信号Ｖｔｘｉｎ及び駆動信号Ｖｔｘのタイミングが、表示同期信号Ｖｐに重ならないが点灯期間のパルス信号ＥＬｒｅｑに重なる。第３期間Ｈ３において、点灯期間のパルス信号ＥＬｒｅｑが点灯パルスＳｅｌを生成するため反転される。この点灯期間のパルス信号ＥＬｒｅｑの反転信号は、要求信号Ｖｔｘｉｎを受けた後から分割される。要求信号Ｖｔｘｉｎよりも後に分割された、点灯期間のパルス信号ＥＬｒｅｑの反転信号の一部が駆動信号Ｖｔｘの分だけ遅延させられる。
【０１６２】
Ｔｘバッファー１６は、スキャン方向Ｓｃａｎに順次選択された駆動電極Ｔｘｎ（第１電極部３１の一部）に第１点灯パルスＳｅｌ１、駆動信号パルスＳｇ及び第２点灯パルスＳｅｌ２を供給する。第１点灯パルスＳｅｌ１と駆動信号パルスＳｇと、のパルスの立ち上がり方向は、基準電圧信号Ｓｒｅｆに対して逆向きである。第１点灯パルスＳｅｌ１と第２点灯パルスＳｅｌ２と、のパルスの立ち上がり方向は、基準電圧信号Ｓｒｅｆに対して同じ向きである。第３期間Ｈ３において、駆動信号パルスＳｇは、第１点灯パルスＳｅｌ１と第２点灯パルスＳｅｌ２とに挟まれて印加される。第１点灯パルスＳｅｌ１又は第２点灯パルスＳｅｌ２が入力装置２の第１電極部３１に印加されると、第１発光素子部ＤＥＬが発光する。第１点灯パルスＳｅｌ１又は第２点灯パルスＳｅｌ２は、第１期間Ｈ１又は第２期間Ｈ２の点灯パルスＳｅｌを２分割した状態となっている。第１点灯パルスＳｅｌ１又は第２点灯パルスＳｅｌ２は、全体で第１期間Ｈ１又は第２期間Ｈ２の点灯パルスＳｅｌの発光量と同程度の発光をすることができる。このように、第１電極ドライバ１４は、要求信号Ｖｔｘｉｎ及び駆動信号Ｖｔｘのタイミングが、表示同期信号Ｖｐに重ならないが点灯期間のパルス信号ＥＬｒｅｑに重なる場合は、駆動信号パルスＳｇの前後に、点灯パルスＳｅｌを駆動する。
【０１６３】
第４期間Ｈ４において、要求信号Ｖｔｘｉｎのタイミングが、点灯期間のパルス信号ＥＬｒｅｑに重なるが、駆動信号Ｖｔｘのタイミングが点灯期間のパルス信号ＥＬｒｅｑに重ならない。第４期間Ｈ４において、ＥＬ点灯タイミング生成回路１８からの点灯期間のパルス信号ＥＬｒｅｑが点灯パルスＳｅｌを生成するため反転される。点灯期間のパルス信号ＥＬｒｅｑの反転信号と駆動信号Ｖｔｘとが合成され、Ｔｘバッファー１６へ与えられる。Ｔｘバッファー１６は、スキャン方向Ｓｃａｎに順次選択された駆動電極Ｔｘｎ（第１電極部３１の一部）に駆動信号パルスＳｇと点灯パルスＳｅｌとが合成された出力を供給する。第４期間Ｈ４において、駆動信号パルスＳｇは、点灯パルスＳｅｌの直後に印加される。点灯パルスＳｅｌと駆動信号Ｖｔｘに基づく駆動信号パルスＳｇとは、連続してしまうので、近接検出処理部４０は、図６に示す駆動信号パルスＳｇの立ち下がり時の波形Ｖ０と波形Ｖ１との電圧差分の絶対値｜ΔＶ｜を検出する。
【０１６４】
図４７は、第１発光素子が非点灯の状態において、１パルスの駆動信号で駆動する駆動制御のタイミングチャートである。上述した第４期間Ｈ４を考慮して、入力装置２は、近接検出処理部４０が、図４７に示す矢印の駆動信号パルスＳｇの立ち下がり時の電圧差分を検出することが好ましい。
【０１６５】
図４８は、第１発光素子が点灯の状態において、点灯駆動する点灯期間と１パルスの駆動信号とが重ならない場合の駆動制御のタイミングチャートである。図４９は、第１発光素子が点灯の状態において、点灯駆動する点灯期間と１パルスの駆動信号とが重なり、駆動信号の走査が点灯期間を追い越す場合の駆動制御のタイミングチャートである。上述したように、制御部１１は、駆動選択期間Ｈｔｘと点灯期間Ｈｆｌは独立して設定される。このため、図１に示す第１電極ドライバ１４が、図７に示す駆動電極Ｔｘを時分割的に線順次走査するように駆動した場合、図４８に例示するように、駆動電極Ｔｘ１からＴｘ４の全てが同じ第１期間Ｈ１の場合がある。また、図４９に示すように、駆動電極Ｔｘ１が駆動する場合は第１期間Ｈ１であり、駆動電極Ｔｘ２が駆動する場合は第２期間Ｈ２である。また、図４９に示すように、駆動電極Ｔｘ３が駆動する場合は第３期間Ｈ３であり、駆動電極Ｔｘ４が駆動する場合は第４期間Ｈ４である。
【０１６６】
以上説明したように、第１電極ドライバ１４は、順バイアス方向にパルスが立ち上がる点灯パルスＳｅｌを印加し、点灯パルスＳｅｌに応じて第１発光素子部ＤＥＬを発光させる。入力装置２は、フロントライトとして機能する場合、点灯パルスＳｅｌに応じた発光量で第１発光素子部ＤＥＬを発光させる。
【０１６７】
第１電極ドライバ１４は、駆動信号パルスＳｇの前に通知される駆動信号パルスＳｇの要求信号Ｖｔｘｉｎと、点灯パルスＳｅｌの前に通知される点灯パルスの要求信号（表示同期信号Ｖｐ）が重なった場合（第２期間Ｈ２の場合）は、第１電極部３１に駆動信号パルスＳｇを印加した後、点灯パルスＳｅｌを第１電極部３１に印加する。これにより、駆動信号パルスＳｇと、点灯パルスＳｅｌとが重ならず、駆動電極Ｔｘの駆動と、第１発光素子部ＤＥＬの発光とを両立することができる。
【０１６８】
第１電極ドライバ１４は、駆動信号パルスＳｇと、点灯パルスＳｅｌとが重なった場合（第３期間Ｈ３の場合）は、駆動信号パルスＳｇと、点灯パルスＳｅｌとが重なったタイミングで、点灯パルスＳｅｌを前後に分割した上で、分割された第１点灯パルスＳｅｌ１、駆動信号パルスＳｇ、分割された第２点灯パルスＳｅｌ２の順に第１電極部３１へ印加する。これにより、駆動信号パルスＳｇと、点灯パルスＳｅｌとが実質的に重ならず、駆動電極Ｔｘの駆動と、第１発光素子部ＤＥＬの発光とを両立することができる。
【０１６９】
第１電極ドライバ１４は、駆動信号パルスの要求信号Ｖｔｘｉｎにのみ、点灯パルスＳｅｌとが重なった場合（第４期間Ｈ４の場合）は、点灯パルスＳｅｌ、駆動信号パルスＳｇの順に第１電極部３１へ印加する。これにより、駆動信号パルスＳｇと、点灯パルスＳｅｌとが実質的に重ならず、駆動電極Ｔｘの駆動と、第１発光素子部ＤＥＬの発光とを両立することができる。
【０１７０】
第１期間Ｈ１、第２期間Ｈ２、第３期間Ｈ３、第４期間Ｈ４のいずれの期間においても、第１電極ドライバ１４は、第１発光素子部ＤＥＬの点灯、非点灯によらず駆動信号パルスＳｇを一定のタイミングで供給できる。これにより、第１発光素子部ＤＥＬが点灯又は非点灯のいずれの状態であっても、入力装置２の近接検出の精度が変化しない。
【０１７１】
（実施形態４の変形例２）
次に、図１、図６、図７、図５０から図５３を用いて、実施形態４の変形例２に係る入力装置２の駆動制御について説明する。実施形態４の変形例２に係る入力装置２は、実施形態１の入力装置２を例示して説明するが、上述した実施形態１、実施形態２及び実施形態３と、これらの各変形例とで説明したいずれの入力装置にも適用することができる。図５０は、実施形態４の変形例２に係る駆動制御のタイミングチャートである。なお、上述した実施形態１、実施形態２及び実施形態３と、これらの各変形例とで説明したものと同じ構成要素には同一の符号を付して重複する説明は省略する。
【０１７２】
図５０に示すように、駆動信号Ｖｔｘが各駆動電極Ｔｘに複数のパルスで印加されても、実施形態４の変形例１で説明したように駆動すれば、点灯駆動と、近接検出駆動とを両立することができる。第１電極ドライバ１４は、図５０に示すように、駆動信号パルスＳｇが１回に２つ印加する。実施形態４の変形例２においても、駆動信号パルスＳｇと、点灯パルスＳｅｌ（第１点灯パルスＳｅｌ１、第２点灯パルスＳｅｌ２）とのパルスの立ち上がり方向は、基準電圧信号Ｓｒｅｆに対して逆向きである。この場合でも、第１電極ドライバ１４は、第１期間Ｈ１、第２期間Ｈ２、第３期間Ｈ３及び第４期間Ｈ４毎の駆動をすることができる。実施形態４の変形例２に係る入力装置２の駆動制御の詳細は、実施形態４の変形例１に係る入力装置２の駆動制御と同じであるので、省略する。
【０１７３】
図５１は、第１発光素子が非点灯の状態において、複数パルスの駆動信号で駆動する駆動制御のタイミングチャートである。上述した第４期間Ｈ４を考慮して、入力装置２は、近接検出処理部４０が、図５１に示す矢印の駆動信号パルスＳｇの立ち下がり時の電圧差分を検出することが好ましい。
【０１７４】
図５２は、第１発光素子が点灯の状態において、点灯駆動する点灯期間と複数パルスの駆動信号とが重ならない場合の駆動制御のタイミングチャートである。図５３は、第１発光素子が点灯の状態において、点灯駆動する点灯期間と複数パルスの駆動信号とが重なり、駆動信号の走査が点灯期間を追い越す場合の駆動制御のタイミングチャートである。上述したように、制御部１１は、駆動選択期間Ｈｔｘと点灯期間Ｈｆｌは独立して設定される。このため、図１に示す第１電極ドライバ１４が、図７に示す駆動電極Ｔｘを時分割的に線順次走査するように駆動した場合、図５２に例示するように、駆動電極Ｔｘ１からＴｘ２の全てが同じ第１期間Ｈ１の場合がある。また、図５３に示すように、駆動電極Ｔｘ１が駆動する場合は第３期間Ｈ３であり、駆動電極Ｔｘ２が駆動する場合も第３期間Ｈ３である。このように、第１電極ドライバ１４は、点灯が要求されている期間に、駆動電極Ｔｘを時分割で走査する場合は、駆動信号パルスＳｇの印加を優先し、点灯パルスＳｅｌを駆動信号の印加よりも遅らせる。これにより、駆動信号パルスＳｇと、点灯パルスＳｅｌとが実質的に重ならず、駆動電極Ｔｘの駆動と、第１発光素子部ＤＥＬの発光とを両立することができる。
【０１７５】
（実施形態４の変形例３）
次に、図１、図６、図７、図５４から図５７を用いて、実施形態４の変形例３に係る入力装置２の駆動制御について説明する。実施形態４の変形例３に係る入力装置２は、実施形態１の入力装置２を例示して説明するが、上述した実施形態１、実施形態２及び実施形態３と、これらの各変形例とで説明したいずれの入力装置にも適用することができる。図５４は、実施形態４の変形例３に係る駆動制御のタイミングチャートである。なお、上述した実施形態１、実施形態２及び実施形態３と、これらの各変形例とで説明したものと同じ構成要素には同一の符号を付して重複する説明は省略する。
【０１７６】
図５４に示すように、駆動信号Ｖｔｘが各駆動電極Ｔｘに複数のパルスで印加されても、実施形態４の変形例２で説明したように、第１期間Ｈ１、第２期間Ｈ２、第４期間Ｈ４において同じ駆動をすれば、第１期間Ｈ１、第２期間Ｈ２、第４期間Ｈ４において、点灯駆動と、近接検出駆動とを両立することができる。第１期間Ｈ１、第２期間Ｈ２、第４期間Ｈ４において、駆動信号パルスＳｇと、点灯パルスＳｅｌとのパルスの立ち上がり方向は、基準電圧信号Ｓｒｅｆに対して逆向きである。実施形態４の変形例３に係る入力装置２と、実施形態４の変形例２に係る入力装置２とは、第３期間Ｈ３での駆動が異なる。実施形態４の変形例３に係る入力装置２の第１期間Ｈ１、第２期間Ｈ２、第４期間Ｈ４における駆動制御の詳細は、実施形態４の変形例１及び実施形態４の変形例２に係る入力装置２の駆動制御と同じであるので、省略する。
【０１７７】
第１電極制御部１４１は、第１点灯パルスＳｅｌ１と第２点灯パルスＳｅｌ２と第３点灯パルスＳｅｌ３とを生成する。第１点灯パルスＳｅｌ１と第２点灯パルスＳｅｌ２との間には、駆動信号パルスＳｇが印加される。第２点灯パルスＳｅｌ２と第３点灯パルスＳｅｌ３との間には、駆動信号パルスＳｇが印加される。
【０１７８】
図５４に示すように、第１期間Ｈ１、第２期間Ｈ２又は第４期間Ｈ４における駆動信号パルスＳｇのロー電圧は、基準電圧信号Ｓｒｅｆの電圧となる。これに対して、第３期間Ｈ３における駆動信号パルスＳｇのロー電圧は、基準電圧信号Ｓｒｅｆよりも低電圧であって、第１点灯パルスＳｅｌ１のロー電圧となる。第３期間Ｈ３において、駆動電極Ｔｘｎには、点灯パルスＳｅｌ１の印加後、すぐに駆動信号パルスＳｇを印加する。第３期間Ｈ３のハイ電圧は、第１期間Ｈ１、第２期間Ｈ２又は第４期間Ｈ４における駆動信号パルスＳｇのハイ電圧よりも低電圧にすることができる。
【０１７９】
第１点灯パルスＳｅｌ１の立ち上げ方向と、駆動信号パルスＳｇのパルスの立ち上げ方向とは逆向きである。このため、第１電極ドライバ１４は、第１点灯パルスＳｅｌ１のパルスの立ち下げと駆動信号パルスＳｇのパルスの立ち上げとを連続して印加することができる。
【０１８０】
駆動信号パルスＳｇのパルスの立ち上げ方向と第２点灯パルスＳｅｌ２の立ち上げ方向とは逆向きである。このため、第１電極ドライバ１４は、駆動信号パルスＳｇのパルスの立ち下げと第２点灯パルスＳｅｌ２のパルスの立ち上げとを連続して印加することができる。また、第１電極ドライバ１４は、第２点灯パルスＳｅｌ２のパルスの立ち下げと、次の駆動信号パルスＳｇのパルスの立ち上げとを連続して印加することができる。
【０１８１】
駆動信号パルスＳｇのパルスの立ち上げ方向と第３点灯パルスＳｅｌ３の立ち上げ方向とは逆向きである。このため、第１電極ドライバ１４は、駆動信号パルスＳｇのパルスの立ち下げと第３点灯パルスＳｅｌ３のパルスの立ち上げとを連続して印加することができる。
【０１８２】
図５０に示すタイミングチャートと比較して、図５４に示すタイミングチャートは、第３期間Ｈ３における点灯駆動の遅れを抑制できることが分かる。
【０１８３】
第３期間Ｈ３において、第１点灯パルスＳｅｌ１、第２点灯パルスＳｅｌ２、第３点灯パルスＳｅｌ３が第１電極部３１に印加されると、第１発光素子部ＤＥＬが発光する。駆動信号パルスＳｇは、第１点灯パルスＳｅｌ１と第２点灯パルスＳｅｌ２と第３点灯パルスＳｅｌ３とにそれぞれ挟まれて印加される。このように、第１電極ドライバ１４は、第３期間Ｈ３において、駆動信号パルスＳｇの前後に、点灯パルスＳｅｌを駆動する。
【０１８４】
図５５は、第１発光素子が非点灯の状態において、複数パルスの駆動信号で駆動する駆動制御のタイミングチャートである。上述した第４期間Ｈ４を考慮して、入力装置２は、近接検出処理部４０が、図５５に示す矢印の駆動信号パルスＳｇの立ち下がり時の電圧差分を検出することが好ましい。
【０１８５】
図５６は、第１発光素子が点灯の状態において、点灯駆動する点灯期間と複数パルスの駆動信号とが重ならない場合の駆動制御のタイミングチャートである。図５７は、第１発光素子が点灯の状態において、点灯駆動する点灯期間と複数パルスの駆動信号とが重なり、駆動信号の走査が点灯期間を追い越す場合の駆動制御のタイミングチャートである。上述したように、制御部１１は、駆動選択期間Ｈｔｘと点灯期間Ｈｆｌは独立して設定される。このため、図１に示す第１電極ドライバ１４が、図７に示す駆動電極Ｔｘを時分割的に走査するように駆動した場合、図５６に例示するように、駆動電極Ｔｘ１からＴｘ２の全てが同じ第１期間Ｈ１の場合がある。また、図５７に示すように、駆動電極Ｔｘ１が駆動する場合は第３期間Ｈ３であり、駆動電極Ｔｘ２が駆動する場合も第３期間Ｈ３である。このように、第１電極ドライバ１４は、点灯が要求されている期間に、駆動電極Ｔｘを時分割的に走査するは、駆動信号の印加を優先し、点灯パルスＳｅｌを駆動信号の印加よりも遅らせる。
【０１８６】
上述したように、実施形態４の変形例３に係る入力装置２は、実施形態４の変形例２よりも第３期間Ｈ３において、点灯パルスＳｅｌを駆動信号の印加よりも遅らせる時間を短くすることができる。これにより、実施形態４の変形例３に係る入力装置２は、１回に各駆動電極Ｔｘに印加される複数のパルスの数を増やすことができる。
【０１８７】
以上説明した、第１電極部３１が第１発光素子部ＤＥＬのカソードであり、第２電極部３２が第１発光素子部ＤＥＬのアノードである実施形態４の各変形例は、第１電極部３１が第１発光素子部ＤＥＬのアノードであり、第２電極部３２が第１発光素子部ＤＥＬのカソードであってもよい。
【０１８８】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【０１８９】
例えば、発光層２２は、有機層に限られず、無機層であってもよい。また発光層は、発光ダイオードであってもよい。発光層２２は、複数層を蒸着することで白色発光をするものでも、赤色（Ｒ）、緑色（Ｇ）、青色（Ｂ）の各発光層が別々に形成されたものであってよい。赤色（Ｒ）、緑色（Ｇ）、青色（Ｂ）のように複数色を同一平面上に並べて白表示を得る発光層２２の場合、各色の発光素子部によって最適な電流値が異なる。入力装置２は、各色の発光素子部によって電流値を最適化する場合、第１電極部３１の同じ導電層上には同じ色の発光素子部を配置すると、電流値を最適化しやすい。
【０１９０】
また、上述した、第１電極部３１の第１導電層、第２電極部３２の第２導電層、第３電極部の第３導電層、第４導電層３５、３５Ｇ、３５Ｈ、第５導電層３５Ｃ、３５Ｄ、３５Ｅは、それぞれ単層であっても複数の層が積層されていてもよい。
【０１９１】
例えば、実施形態１、２、３、４及び各変形例に係る入力装置２は、テレビジョン装置、デジタルカメラ、ノート型パーソナルコンピュータ、携帯電話等の携帯端末装置あるいはビデオカメラ等のあらゆる分野の電子機器に適用することが可能である。言い換えると、実施形態１、２、３、４及び各変形例に係る入力装置２と、表示部９とを備える近接検出機能付き表示装置１は、外部から入力された映像信号あるいは内部で生成した映像信号を、画像あるいは映像として表示するあらゆる分野の電子機器に適用することが可能である。
【０１９２】
（本態様の構成）
また、本実施形態は、以下の構成をとることもできる。
【０１９３】
（１）第１面及び第２面を備える第１基板と、
前記第２面側に形成される導電性の第１電極部と、前記第１電極部と異なる層に形成される導電性の第２電極部と、前記第１電極部の少なくとも一部に電気的に接し、前記第１電極部と前記第２電極部との間に形成され、前記第１電極部の少なくとも一部と電気的に接する発光層と、を含む第１発光素子部と、
前記第１電極部と絶縁されて形成され、前記第１面に平面視で重なり合う位置の近接物体の座標に応じて変化する前記第１電極部との間の電界の変化を検出するための第３電極部と、を備える入力装置。
【０１９４】
（２）前記第１電極部は、１つの層に形成される複数の第１導電層を備え、
前記第２電極部は、平面視で、複数の第１導電層と重なり合う大きさを有する第２導電層を備える、（１）に記載の入力装置。
【０１９５】
（３）前記第３電極部は、１つの層に形成される複数の第３導電層を備える、（１）又は（２）に記載の入力装置。
【０１９６】
（４）前記第１電極部は、１つの層に形成される複数の第１導電層を備え、
前記第２電極部は、平面視で、複数の第１導電層と重なり合う大きさを有する第２導電層を備え、
前記第３電極部は、前記第１導電層とは異なる層であって、かつ１つの層に形成される複数の第３導電層を備える、
（１）に記載の入力装置。
【０１９７】
（５）前記第１導電層は、平面視で一方向に連続して延びる形状を備え、前記発光層に前記第１導電層の形状に沿って接しており、
前記第１発光素子部は、前記第１導電層の形状に沿った発光が可能である、（４）に記載の入力装置。
【０１９８】
（６）前記第１電極部は、１つの層に形成される複数の第１導電層を備え、
前記第２電極部は、平面視で、複数の第１導電層と重なり合う大きさを有する第２導電層を備え、
前記第３電極部は、前記第１導電層と同層に形成される複数の第３導電層を備える、
（１）に記載の入力装置。
【０１９９】
（７）前記第１導電層は、絶縁層を介して前記発光層に積層され、かつ平面視で一方向に連続して延びる形状を備え、
前記第３導電層は、前記発光層に前記絶縁層を介して積層され、かつ平面視で前記第１導電層と交差する交差方向に連続して延びる形状を備え、
前記第１導電層と前記第３導電層とが交差する部分には、前記第３導電層で分断された前記第１導電層の端部同士を接続し、前記第３導電層と絶縁された状態で前記第３導電層を跨ぐ導電性の第４導電層を複数備え、
前記第４導電層は、前記発光層の一部と第１コンタクト部で電気的に接続されている、（５）に記載の入力装置。
【０２００】
（８）前記第１導電層は、絶縁層を介して前記発光層に積層され、かつ平面視で点在する島状であり、
前記第１導電層と前記第３導電層とが交差する部分には、前記第３導電層を挟む前記第１導電層の端部同士を接続し、前記第３導電層と絶縁された状態で前記第３導電層を跨ぐ導電性の第４導電層を複数備え、前記第４導電層で接続される方向が一方向に延び、
前記第３導電層は、前記発光層に前記絶縁層を介して積層され、かつ平面視で前記第４導電層で接続される方向と交差する交差方向に連続して延びる形状を備え、
前記第４導電層は、前記発光層の一部と第１コンタクト部で電気的に接続されている、（５）に記載の入力装置。
【０２０１】
（９）前記第１電極部の第１導電層の外形形状は、平面視で、絶縁されつつ、複数の前記第３導電層のうち隣合う前記第３導電層の間の開口を埋める形状である、（８）に記載の入力装置。
【０２０２】
（１０）前記第１導電層及び前記第２導電層は、透光性導電材料である、（８）又は（９）に記載の入力装置。
【０２０３】
（１１）前記第１発光素子部は、前記第４導電層が前記発光層と接している形状に沿った発光が可能である、（７）乃至（１０）のいずれか１つに記載の入力装置。
【０２０４】
（１２）前記第１発光素子部は、前記発光層よりも前記第１面寄りに第１遮光部を備える、（１）乃至（１１）のいずれか１つに記載の入力装置。
【０２０５】
（１３）前記第１遮光部は、前記第１導電層と同層に形成され、前記交差方向に前記第１導電層の幅が広がる幅広部分であり、前記交差方向の長さは、前記第４導電層の交差方向の最大長さより長い、（１２）に記載の入力装置。
【０２０６】
（１４）前記第１遮光部は、金属光沢を有する金属材料で形成されている（１１）又は（１２）に記載の入力装置。
【０２０７】
（１５）前記第４導電層は、金属光沢を有する金属材料で形成されている（７）乃至（１１）のいずれか１つに記載の入力装置。
【０２０８】
（１６）前記発光層は、前記第１コンタクト部の前記第２面と平行な断面の面積が、前記第２面に近づくにつれて小さくなるように凸部が形成されており、
前記第４導電層は、金属光沢を有する金属で形成され、前記凸部の側面が前記第２面に対して傾斜する傾斜面を覆う、（１５）に記載の入力装置。
【０２０９】
（１７）隣合う前記第３導電層の間に延びる前記第１導電層の一部と接続し、前記発光層の一部と電気的に接続されている第２コンタクト部を備える第２発光素子部をさらに備える、（７）乃至（１６）のいずれか１つに記載の入力装置。
【０２１０】
（１８）前記第１導電層は、透光性導電材料で形成され、前記第１導電層の一部が導電性の第５導電層を介して、前記発光層に接続している、（１７）に記載の入力装置。
【０２１１】
（１９）前記第２発光素子部は、前記発光層よりも前記第１面寄りに第２遮光部を備え、
前記第２遮光部は、前記第１導電層と同層に形成され、前記交差方向に前記第１導電層の幅が広がる幅広部分であり、前記第２遮光部の前記交差方向の長さは、前記第２コンタクト部の交差方向の最大長さより長い、（１７）に記載の入力装置。
【０２１２】
（２０）１つの前記第２発光素子部は、１つの前記第１発光素子部よりも発光面積が大きい、（１７）乃至（１９）のいずれか１つに記載の入力装置。
【０２１３】
（２１）前記第２発光素子部を複数備え、前記第１面の中央寄りの前記第２発光素子部が、前記第１面の端寄りの前記第２発光素子部よりも面積が大きい、（１７）乃至（２０）のいずれか１つに記載の入力装置。
【０２１４】
（２２）前記第２発光素子部を複数備え、前記第１面の中央寄りの前記第２発光素子部が、前記第１面の端寄りの前記第２発光素子部よりも単位面積当たりの数が多い、（１７）乃至（２１）のいずれか１つに記載の入力装置。
【０２１５】
（２３）前記第１導電層は、絶縁層を介して前記発光層に積層され、かつ平面視で一方向に連続して延びる形状を備え、
前記第３導電層は、かつ平面視で前記第１導電層と交差する交差方向に連続して延びる形状を備え、
前記発光層は、平面視で、複数の前記第１導電層と重なり合う大きさを有し、かつ前記第２面側に突出する複数の凸部を備え、
前記第１導電層の一部が前記凸部を介して、前記発光層に接続し、
前記第１発光素子部は、前記第４導電層が前記発光層と接している形状に沿った発光が可能である、（４）に記載の入力装置。
【０２１６】
（２４）前記第１導電層は、絶縁層を介して前記発光層に積層され、かつ平面視で一方向に連続して延びる形状を備え、
前記第３導電層は、かつ平面視で前記第１導電層と交差する交差方向に連続して延びる形状を備え、
前記発光層は、平面視で、複数の前記第１導電層と重なり合う大きさを有し、かつ前記第２面側に突出する複数の凸部を備え、
前記第１導電層の一部が導電性の第４導電層を介して、前記発光層の凸部に接続している、（４）に記載の入力装置。
【０２１７】
（２５）前記第４導電層は、金属光沢を有する金属で形成され、１つの前記発光層の前記凸部の側面が前記第２面に対して傾斜する傾斜面を覆う、（２４）に記載の入力装置。
【０２１８】
（２６）前記第１導電層は、絶縁層を介して前記発光層に積層され、かつ平面視で一方向に連続して延びる形状を備え、
前記第３導電層は、かつ平面視で前記第１導電層と交差する交差方向に連続して延びる形状を備え、
前記第１導電層の一部が導電性の第４導電層を介して、前記発光層に接続し、
前記第１発光素子部は、前記第４導電層が前記発光層と接している形状に沿った発光が可能である、（４）に記載の入力装置。
【０２１９】
（２７）前記発光層は、平面視で複数島状に配置され、１つの前記発光層が１つの前記第１導電層と重なり合い、かつ、前記第４導電層の面積以下となっている（２６）に記載の入力装置。
【０２２０】
（２８）前記発光層は、有機発光層である、（１）乃至（２７）のいずれか１つに記載の入力装置。
【０２２１】
（２９）前記第１電極部、前記第２電極部及び第３電極部が、前記第１基板の第２面側にある、（１）乃至（２８）のいずれか１つに記載の入力装置。
【０２２２】
（３０）前記第３電極部が前記基板の第１面側にあり、前記第１電極部及び前記第２電極部が、前記第１基板の第２面側にある、（１）乃至（４）、（２３）乃至（２７）のいずれか１つに記載の入力装置。
【０２２３】
（３１）前記第１基板の前記第１面と対向するカバー基板を備え、前記第３電極部が前記カバー基板にある、（３０）に記載の入力装置。
【０２２４】
（３２）第１面及び第２面を備える第１基板と、
前記第２面側に形成される導電性の第１電極部と、前記第１電極部と異なる層に形成される導電性の第２電極部と、前記第１電極部の少なくとも一部に電気的に接し、前記第１電極部と前記第２電極部との間に形成され、前記第２導電層の少なくとも一部と電気的に接する発光層と、を含む第１発光素子部と、
前記第１電極部と絶縁されて形成され、前記第１面に平面視で重なり合う位置の座標入力に応じて前記第１電極部との間の電界の変化を外部へ出力可能な第３電極部と、を備え、
前記第１電極部は、１つの層に形成される複数の第１導電層を備え、
前記第２電極部は、平面視で、複数の第１導電層と重なり合う大きさを有する第２導電層を備え、
前記第１発光素子部が発光する前記第１導電層と前記第２導電層との間の順バイアス方向の印加電圧に対して逆方向である逆バイアス方向にパルスが立ち上がる駆動信号パルスが前記複数の第１導電層の一部に印加される、入力装置。
【０２２５】
（３３）前記第１電極部に電圧を供給する第１電極ドライバと、
前記第２電極部に電圧を供給する第２電極ドライバと、
前記第１基板の第１面に平面視で重なり合う位置の近接物体の座標に応じて変化する第１電極部と前記第３電極部との間の電界の変化を前記駆動信号パルスに応答する近接検出信号として処理する近接検出処理部と、をさらに備え、
前記第１電極ドライバは、前記第１電極部の一部を駆動電極として時分割で走査し、前記駆動信号パルスを走査した前記第１電極部の一部に供給する、（３２）に記載の入力装置。
【０２２６】
（３４）前記第１電極部に電圧を供給する第１電極ドライバと、
前記第２電極部に電圧を供給する第２電極ドライバと、
前記第１基板の第１面に平面視で重なり合う位置の近接物体の座標に応じて変化する第１電極部と前記第３電極部との間の電界の変化を前記駆動信号パルスに応答する近接検出信号として処理する近接検出処理部と、をさらに備え、
前記第２電極ドライバは、前記第１電極部と前記第２電極部との間に順バイアス方向の印加電圧を加え、前記第１発光素子部を発光させる、（３２）又は（３３）に記載の入力装置。
【０２２７】
（３５）前記第１電極ドライバは、前記逆バイアス方向にパルスが立ち上がる非点灯期間のパルス信号を前記第１電極部に印加する、（３４）に記載の入力装置。
【０２２８】
（３６）前記第１電極部に電圧を供給する第１電極ドライバと、
前記第２電極部に電圧を供給する第２電極ドライバと、
前記第１基板の第１面に平面視で重なり合う位置の近接物体の座標に応じて変化する前記第１電極部と前記第３電極部との間の電界の変化を前記駆動信号パルスに応答する近接検出信号として処理する近接検出処理部と、をさらに備え、
前記第１電極ドライバは、前記順バイアス方向にパルスが立ち上がる点灯パルスを印加し、前記点灯パルスに応じて前記第１発光素子部を発光させる、（３２）又は（３３）に記載の入力装置。
【０２２９】
（３７）前記第１電極ドライバは、前記駆動信号パルスの前に通知される前記駆動信号パルスの要求信号と、前記点灯パルスの前に通知される前記点灯パルスの要求信号が重なった場合は、前記第１電極部に前記駆動信号パルスを印加した後、前記点灯パルスを前記第１電極部に印加する、（３６）に記載の入力装置。
【０２３０】
（３８）前記第１電極ドライバは、前記駆動信号パルスと、前記点灯パルスとが重なった場合は、前記駆動信号パルスと、前記点灯パルスとが重なったタイミングで、前記点灯パルスを前後に分割した上で、分割された第１点灯パルス、前記駆動信号パルス、分割された第２点灯パルスの順に前記第１電極部へ印加する、（３６）に記載の入力装置。
【０２３１】
（３９）前記第１電極ドライバは、前記第１点灯パルスのパルスの立ち下げと前記駆動信号パルスのパルスの立ち上げとを連続して印加する、（３８）に記載の入力装置。
【０２３２】
（４０）前記第１電極ドライバは、前記駆動信号パルスの前に通知される前記駆動信号パルスの要求信号にのみ、前記点灯パルスが重なった場合は、前記点灯パルス、前記駆動信号パルスの順に前記第１電極部へ印加する、（３６）に記載の入力装置。
【０２３３】
（４１）第１面及び第２面を備える第１基板と、
前記第２面側に形成される導電性の第１電極部と、前記第１電極部と異なる層に形成される導電性の第２電極部と、前記第１電極部の少なくとも一部に電気的に接し、前記第１電極部と前記第２電極部との間に形成され、前記第１電極部の少なくとも一部と電気的に接する発光層と、を含む第１発光素子部と、
前記第１電極部と絶縁されて形成され、前記第１面に平面視で重なり合う位置の近接物体の座標に応じて変化する前記第１電極部との間の電界の変化を検出するための第３電極部と、を備える入力装置と、
前記入力装置の前記第２面側に配置され、前記第１面側に画像を表示可能な表示部を備える表示装置。
【符号の説明】
【０２３４】
１  表示装置（近接検出機能付き表示装置）
２  入力装置
９  表示部
１１  制御部
１２  ゲートドライバ
１４  第１電極ドライバ
１５  第２電極ドライバ
２１  第１基板
２２、２２ｃ  発光層
２２ａ  凸部
２２ｂ  凸部
２３  保護層
２４  遮光部
２５  絶縁層
２６  カバー基板
３１Ａ、３１Ｃ、３１Ｄ  遮光部
３１  第１電極部
３２  第２電極部
３３  第３電極部
３５Ｒ  側面
３５、３５Ｇ、３５Ｈ  第４導電層
３５Ｃ、３５Ｄ、３５Ｅ  第５導電層
３６Ａ、３６Ｂ、３６Ｆ、３６Ｇ、３６Ｈ  第１コンタクト部
３６Ｃ、３６Ｄ、３６Ｅ  第２コンタクト部
４０  近接検出処理部
９１  アレイ基板
９２  対向基板
９３  液晶層
９４  画素電極
９５  対向電極
９６  カラーフィルタ
９７  副画素
９８  絶縁層
９９  スイッチング素子
１４１  電極制御部
２０１  第１面
２０２  第２面
ＤＥＬ、ＤＥＬ１、ＤＥＬ２、ＤＥＬ３、ＤＥＬ４、ＤＥＬ５、ＤＥＬ６、ＤＥＬ７、ＤＥＬ８  発光素子部
ＰＬＥ  座標入力面
Ｓｅｌ  点灯パルス
Ｓｅｌ１  第１点灯パルス
Ｓｅｌ２  第２点灯パルス
Ｓｅｌ３  第３点灯パルス
Ｓｇ  駆動信号パルス
Ｓｔｉｍ  パルス信号
Ｘｃ  中央部
Ｘｅ  端部
ΔＶＦＬ  発光駆動電圧
【図１】
0006395651.tif 000002
【図２】
0006395651.tif 000003
【図３】
0006395651.tif 000004
【図４】
0006395651.tif 000005
【図５】
0006395651.tif 000006
【図６】
0006395651.tif 000007
【図７】
0006395651.tif 000008
【図８】
0006395651.tif 000009
【図９】
0006395651.tif 000010
【図１０】
0006395651.tif 000011
【図１１】
0006395651.tif 000012
【図１２】
0006395651.tif 000013
【図１３】
0006395651.tif 000014
【図１４】
0006395651.tif 000015
【図１５】
0006395651.tif 000016
【図１６】
0006395651.tif 000017
【図１７】
0006395651.tif 000018
【図１８】
0006395651.tif 000019
【図１９】
0006395651.tif 000020
【図２０】
0006395651.tif 000021
【図２１】
0006395651.tif 000022
【図２２】
0006395651.tif 000023
【図２３】
0006395651.tif 000024
【図２４】
0006395651.tif 000025
【図２５】
0006395651.tif 000026
【図２６】
0006395651.tif 000027
【図２７】
0006395651.tif 000028
【図２８】
0006395651.tif 000029
【図２９】
0006395651.tif 000030
【図３０】
0006395651.tif 000031
【図３１】
0006395651.tif 000032
【図３２】
0006395651.tif 000033
【図３３】
0006395651.tif 000034
【図３４】
0006395651.tif 000035
【図３５】
0006395651.tif 000036
【図３６】
0006395651.tif 000037
【図３７】
0006395651.tif 000038
【図３８】
0006395651.tif 000039
【図３９】
0006395651.tif 000040
【図４０】
0006395651.tif 000041
【図４１】
0006395651.tif 000042
【図４２】
0006395651.tif 000043
【図４３】
0006395651.tif 000044
【図４４】
0006395651.tif 000045
【図４５】
0006395651.tif 000046
【図４６】
0006395651.tif 000047
【図４７】
0006395651.tif 000048
【図４８】
0006395651.tif 000049
【図４９】
0006395651.tif 000050
【図５０】
0006395651.tif 000051
【図５１】
0006395651.tif 000052
【図５２】
0006395651.tif 000053
【図５３】
0006395651.tif 000054
【図５４】
0006395651.tif 000055
【図５５】
0006395651.tif 000056
【図５６】
0006395651.tif 000057
【図５７】
0006395651.tif 000058